(57)【要約】本開示は、ＣＳＩ測定を実行する際に使用されてもよい、ＣＳＩ基準サブフレームのセットをＵＥに示すことを提案する。ＣＳＩ基準サブフレームのセットは、周波数ホッピングが生じるとき、複数の周波数を通して測定されてもよい。本開示の態様において、方法、コンピュータ読取可能媒体、および、装置を提供する。装置は、狭帯域通信においてチャネル状態情報（ＣＳＩ）測定を実行する際に使用するために、ＣＳＩ基準サブフレームの数に関係付けられている情報を受信してもよい。さらに、装置は、ＰＤＣＣＨを含む少なくとも２つの周波数上のサブフレームを監視してもよい。さらに、装置は、ＣＳＩ基準サブフレームの数に関係付けられている情報に基づいて、少なくとも２つの周波数チャネルに渡るＣＳＩ測定を実行してもよい。【選択図】１０Ａ
2019516286.tif 000002
【特許請求の範囲】
【請求項１】
ワイヤレス通信の方法において、
狭帯域通信においてチャネル状態情報（ＣＳＩ）測定を実行する際に使用するために、ＣＳＩ基準サブフレームの数に関係付けられている情報を受信することと、
少なくとも２つの周波数チャネル上のサブフレームを監視し、前記少なくとも２つの周波数チャネルのそれぞれは、物理ダウンリンク制御チャネル（ＰＤＣＣＨ）を含むことと、
前記ＣＳＩ基準サブフレームの数に関係付けられている情報に基づいて、前記少なくとも２つの周波数チャネルに渡るＣＳＩ測定を実行することとを含む方法。
【請求項２】
各ＣＳＩ基準サブフレームは、ダウンリンクサブフレームまたは特殊サブフレームである請求項１記載の方法。
【請求項３】
周期的ＣＳＩレポーティングまたは非周期的ＣＳＩレポーティングに対して、前記ＣＳＩ基準サブフレームの数は、４より大きいまたは４と等しい請求項１記載の方法。
【請求項４】
前記少なくとも２つの周波数チャネルに渡るＣＳＩ測定を実行することは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとを含む請求項１記載の方法。
【請求項５】
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい請求項４記載の方法。
【請求項６】
前記ＣＳＩ基準サブフレームの第１のセット中の基準サブフレームの数は、前記ＣＳＩ基準サブフレームの第２のセット中の基準サブフレームの数と等しい請求項５記載の方法。
【請求項７】
前記ＣＳＩ測定に関係付けられている広帯域ＣＳＩレポートを送信することをさらに含む請求項６記載の方法。
【請求項８】
前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数と等しい請求項４記載の方法。
【請求項９】
前記ＣＳＩ測定に関係付けられている副帯域ＣＳＩレポートを送信することをさらに含む請求項８記載の方法。
【請求項１０】
ワイヤレス通信の装置において、
狭帯域通信においてチャネル状態情報（ＣＳＩ）測定を実行する際に使用するために、ＣＳＩ基準サブフレームの数に関係付けられている情報を受信する手段と、
少なくとも２つの周波数チャネル上のサブフレームを監視し、前記少なくとも２つの周波数チャネルのそれぞれは、物理ダウンリンク制御チャネル（ＰＤＣＣＨ）を含む手段と、
前記ＣＳＩ基準サブフレームの数に関係付けられている情報に基づいて、前記少なくとも２つの周波数チャネルに渡るＣＳＩ測定を実行する手段とを具備する装置。
【請求項１１】
各ＣＳＩ基準サブフレームは、ダウンリンクサブフレームまたは特殊サブフレームである請求項１０記載の装置。
【請求項１２】
周期的ＣＳＩレポーティングまたは非周期的ＣＳＩレポーティングに対して、前記ＣＳＩ基準サブフレームの数は、４より大きいまたは４と等しい請求項１０記載の装置。
【請求項１３】
前記少なくとも２つの周波数チャネルに渡るＣＳＩ測定を実行する手段は、
前記少なくとも２つの周波数チャネルのうちの第１の周波数チャネル上のＣＳＩ基準サブフレームの第１のセットを決定するように、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なるように、
前記ＣＳＩ基準サブフレームの第１のセットと前記ＣＳＩ基準サブフレームの第２のセットとに基づいて、前記少なくとも２つの周波数チャネルに渡るＣＳＩ測定を実行するように構成されている請求項１０記載の装置。
【請求項１４】
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい請求項１３記載の装置。
【請求項１５】
前記ＣＳＩ基準サブフレームの第１のセット中の基準サブフレームの数は、前記ＣＳＩ基準サブフレームの第２のセット中の基準サブフレームの数と等しい請求項１４記載の装置。
【請求項１６】
前記ＣＳＩ測定に関係付けられている広帯域ＣＳＩレポートを送信する手段をさらに具備する請求項１５記載の装置。
【請求項１７】
前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数と等しい請求項１３記載の装置。
【請求項１８】
前記ＣＳＩ測定に関係付けられている副帯域ＣＳＩレポートを送信する手段をさらに具備する請求項１７記載の装置。
【請求項１９】
ワイヤレス通信の装置において、
メモリと、
前記メモリに結合されている少なくとも１つのプロセッサとを具備し、
前記少なくとも１つのプロセッサは、
狭帯域通信においてチャネル状態情報（ＣＳＩ）測定を実行する際に使用するために、ＣＳＩ基準サブフレームの数に関係付けられている情報を受信するように、
少なくとも２つの周波数チャネル上のサブフレームを監視し、前記少なくとも２つの周波数チャネルのそれぞれは、物理ダウンリンク制御チャネル（ＰＤＣＣＨ）を含むように、
前記ＣＳＩ基準サブフレームの数に関係付けられている情報に基づいて、前記少なくとも２つの周波数チャネルに渡るＣＳＩ測定を実行するように構成されている装置。
【請求項２０】
前記少なくとも１つのプロセッサは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成されている請求項１９記載の装置。
【請求項２１】
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい請求項２０記載の装置。
【請求項２２】
前記ＣＳＩ基準サブフレームの第１のセット中の基準サブフレームの数は、前記ＣＳＩ基準サブフレームの第２のセット中の基準サブフレームの数と等しい請求項２１記載の装置。
【請求項２３】
前記少なくとも１つのプロセッサは、前記ＣＳＩ測定に関係付けられている広帯域ＣＳＩレポートを送信するようにさらに構成されている請求項２２記載の装置。
【請求項２４】
前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数と等しい請求項２０記載の装置。
【請求項２５】
前記少なくとも１つのプロセッサは、前記ＣＳＩ測定に関係付けられている副帯域ＣＳＩレポートを送信するように構成されている請求項２４記載の装置。
【請求項２６】
コンピュータ実行可能なコードを記憶しているコンピュータ読取可能媒体において、
前記コードは、
狭帯域通信においてチャネル状態情報（ＣＳＩ）測定を実行する際に使用するために、ＣＳＩ基準サブフレームの数に関係付けられている情報を受信し、
少なくとも２つの周波数チャネル上のサブフレームを監視し、前記少なくとも２つの周波数チャネルのそれぞれは、物理ダウンリンク制御チャネル（ＰＤＣＣＨ）を含み、
前記ＣＳＩ基準サブフレームの数に関係付けられている情報に基づいて、前記少なくとも２つの周波数チャネルに渡るＣＳＩ測定を実行するためのコードを含むコンピュータ読取可能媒体。
【請求項２７】
前記コードは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成されている請求項２６記載のコンピュータ読取可能媒体。
【請求項２８】
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい請求項２７記載のコンピュータ読取可能媒体。
【請求項２９】
前記ＣＳＩ基準サブフレームの第１のセット中の基準サブフレームの数は、前記ＣＳＩ基準サブフレームの第２のセット中の基準サブフレームの数と等しい請求項２８記載のコンピュータ読取可能媒体。
【請求項３０】
前記コードは、前記ＣＳＩ測定に関係付けられている広帯域ＣＳＩレポートを送信するようにさらに構成されている請求項２９記載のコンピュータ読取可能媒体。
【発明の詳細な説明】
【関連出願への相互参照】
【０００１】
［０００１］
本願は、「拡張機械タイプ通信におけるチャネル状態情報測定の実行」と題され、２０１６年４月１日に出願された米国仮出願シリアル番号第６２／３１７，３３８号と、「拡張機械タイプ通信におけるチャネル状態情報測定の実行」と題され、２０１７年１月１０日に出願された米国特許出願シリアル番号第１５／４０２，９２７号の利益を主張し、これらのすべてがここに参照によって明確に組み込まれている。
【分野】
【０００２】
［０００２］
本開示は、一般的に通信システムに関連し、より具体的には、拡張機械タイプ通信（ｅＭＴＣ）または狭帯域（ＮＢ）インターネットオブシングス（ＮＢ−ＩｏＴ）通信におけるチャネル状態情報（ＣＳＩ）測定の実行に関連する。
【背景】
【０００３】
［０００３］
ワイヤレス通信システムは、電話、ビデオ、データ、メッセージング、および、ブロードキャストのような、さまざまな電気通信サービスを提供するために広く配備されている。典型的なワイヤレス通信システムは、利用可能なシステムリソースを共有することによって複数のユーザとの通信をサポートすることができる多元接続テクノロジーを用いてもよい。このような多元接続テクノロジーの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および時分割同期コード分割多元接続（ＴＤ−ＳＣＤＭＡ）システムを含む。
【０００４】
［０００４］
自治体レベルで、国レベルで、地域レベルで、および、グローバルレベルでさえ、異なるワイヤレスデバイスが通信できるようにする共通のプロトコルを提供するために、これらの多元接続テクノロジーはさまざまな電気通信標準規格で採用されている。例示的な電気通信標準規格は、ロングタームエボリューション（ＬＴＥ（登録商標））である。ＬＴＥは、第３世代パートナーシッププロジェクト（３ＧＰＰ（登録商標））によって広められたユニバーサル移動体電気通信システム（ＵＭＴＳ）の移動体標準規格に対する拡張のセットである。ＬＴＥは、ダウンリンク上ではＯＦＤＭＡを使用し、アップリンク上ではＳＣ−ＦＤＭＡを使用し、複数入力複数出力（ＭＩＭＯ）アンテナテクノロジーを使用して、改善したスペクトル効率、下げられたコスト、および、改善したサービスを通して、移動体ブロードバンドアクセスをサポートするように設計されている。しかしながら、移動体ブロードバンドアクセスに対する需要が増え続けると、ＬＴＥ技術におけるさらなる改善に対する必要性が存在する。これらの改善はまた、これらのテクノロジーを用いる他の多元接続テクノロジーおよび電気通信標準規格に適用可能であってもよい。
【０００５】
［０００５］
ワイヤレス通信において、ＣＳＩは、ユーザ機器（ＵＥ）と進化型ｅノードＢ（ｅＮＢ）との間の通信リンクの既知のチャネル特性を指し得る。ＣＳＩは、ｅＮＢからＵＥへとどのように信号（例えば、送信）が伝搬するかを示してもよく、例えば、距離による、散乱、フェーディング、および電力減衰の組み合わされた影響を表してもよい。ｅＭＴＣまたはＮＢ−ＩｏＴを介して通信しないＵＥは、ｅＮＢからの送信における単一のサブフレームを使用して、ＣＳＩを測定するかもしれない。ＣＳＩ測定は、ｅＮＢにレポートされてもよく、ｅＮＢは、ＣＳＩレポートを使用して、送信を現在のチャネル条件に適合させてもよく、これは、多元接続ネットワーク中で高データレートによる信頼性のある通信を達成することを手助けするかもしれない。
【０００６】
［０００６］
ｅＭＴＣおよび／またはＮＢ−ＩｏＴに関係する低い信号対雑音比（ＳＮＲ）が原因で、ＵＥは、単一のサブフレームを使用して、ＣＳＩ測定を実行できないかもしれない。したがって、低いＳＮＲにかかわらず、ｅＭＴＣおよび／またはＮＢ−ＩｏＴにおいてＣＳＩ測定を実行するための、満たされていないニーズがある。
【概要】
【０００７】
［０００７］
１つ以上の態様の基本的な理解を提供するために、このような態様の簡潔な概要を以下に提示する。この概要は、すべての企図される態様の広範囲の概観ではなく、すべての態様のキーまたは重要な要素を識別することや、任意の態様またはすべての態様の範囲を線引きすることを意図していない。唯一の目的は、後に提示するより詳細な説明への前置きとして、簡略化された形態で１つ以上の態様のうちのいくつかの概念を提示することである。
【０００８】
［０００８］
ｅＭＴＣおよび／またはＮＢ−ＩｏＴに関係する低ＳＮＲが原因で、ｅＭＴＣおよび／またはＮＢ−ＩｏＴと通信するＵＥは、通常のＵＥと比較して、単一のサブフレームを使用するＣＳＩ測定を実行できないかもしれない。
【０００９】
［０００９］
この問題を解決するために、本開示は、ＣＳＩ測定を実行する際に使用されてもよいＣＳＩ基準サブフレームのセットをＵＥに示すことを目的としている。ＣＳＩ基準サブフレームのセットは、周波数ホッピングが生じるとき、複数の周波数を通して測定されるかもしれない。さらに、ＵＥは、最新のＣＳＩレポートを提供するために、ＣＳＩ測定からあるＣＳＩ基準サブフレーム（例えば、古すぎるサブフレーム）を省略してもよい。
【００１０】
［００１０］
本開示の態様では、方法、コンピュータ読取可能媒体、および、装置を提供する。装置は、狭帯域通信においてチャネル状態情報（ＣＳＩ）測定を実行する際に使用するために、ＣＳＩ基準サブフレームの数に関係付けられている情報を受信してもよい。さらに、装置は、少なくとも２つの周波数チャネル上でサブフレームを監視してもよい。ある態様では、少なくとも２つの周波数チャネルのそれぞれは、物理ダウンリンク制御チャネル（ＰＤＣＣＨ）を含んでいてもよい。さらに、装置は、ＣＳＩ基準サブフレームの数に関係付けられている情報に基づいて、少なくとも２つの周波数チャネルに渡るＣＳＩ測定を実行してもよい。
【００１１】
［００１１］
先述の関連した目的の達成のために、１つ以上の態様は、以下で十分に記述した、特許請求の範囲において特に指摘した特徴を含む。以下の説明および添付図面では、１つ以上の態様のある例示的な特徴を詳細に述べる。しかしながらこれらの特徴は、さまざまな態様の原理を用いている、さまざまな方法のうちのいくつかだけを示しており、この説明は、すべてのこのような態様、および、これらの均等物を含むことを意図している。
【図面の簡単な説明】
【００１２】
【図１】［００１２］    図１は、ワイヤレス通信システムおよびアクセスネットワークの例を図示するダイヤグラムである。
【図２Ａ】［００１３］  図２Ａは、ＤＬフレーム構造のＬＴＥの例を図示するダイヤグラムである。
【図２Ｂ】図２Ｂは、ＤＬフレーム構造内のＤＬチャネルのＬＴＥの例を図示するダイヤグラムである。
【図２Ｃ】図２Ｃは、ＵＬフレーム構造のＬＴＥの例を図示するダイヤグラムである。
【図２Ｄ】図２Ｄは、ＵＬフレーム構造内のＵＬチャネルのＬＴＥの例を図示するダイヤグラムである。
【図３】［００１４］  図３は、アクセスネットワークにおけるｅＮＢおよびＵＥの例を図示するダイヤグラムである。
【図４】［００１５］  図４は、本開示のある態様にしたがった、通信システムのダイヤグラムである。
【図５】［００１６］  図５は、本開示の第１の態様にしたがった、ＣＳＩ基準サブフレームのダイヤグラムである。
【図６】［００１７］  図６は、本開示の第２の態様にしたがった、ＣＳＩ基準サブフレームのダイヤグラムである。
【図７Ａ】［００１８］  図７Ａは、本開示の第３の態様にしたがった、ＣＳＩ基準サブフレームのダイヤグラムである。
【図７Ｂ】図７Ｂは、本開示の第３の態様にしたがった、ＣＳＩ基準サブフレームのダイヤグラムである。
【図８】［００１９］  図８は、本開示の第４の態様にしたがった、ＣＳＩ基準サブフレームのダイヤグラムである。
【図９】［００２０］  図９は、本開示の第５の態様にしたがった、ＣＳＩ基準サブフレームのダイヤグラムである。
【図１０Ａ】［００２１］  図１０Ａは、本開示の第６の態様にしたがった、ＣＳＩ基準サブフレームのダイヤグラムである。
【図１０Ｂ】図１０Ｂは、本開示の第６の態様にしたがった、ＣＳＩ基準サブフレームのダイヤグラムである。
【図１１Ａ】［００２２］  図１１Ａは、ワイヤレス通信の方法のフローチャートである。
【図１１Ｂ】図１１Ｂは、ワイヤレス通信の方法のフローチャートである。
【図１２】［００２３］  図１２は、ワイヤレス通信の方法のフローチャートである。
【図１３】［００２４］  図１３は、例示的な装置における異なる手段／コンポーネント間のデータフローを図示する、概念的なデータフローダイヤグラムである。
【図１４】［００２５］  図１４は、処理システムを用いる装置のためのハードウェアインプリメンテーションの例を図示するダイヤグラムである。
【詳細な説明】
【００１３】
［００２６］
添付の図面に関連して以下に述べる詳細な説明は、さまざまなコンフィギュレーションの説明として意図されており、ここで説明される概念を実施することができる唯一のコンフィギュレーションを表すように意図されていない。詳細な説明は、さまざまな概念の完全な理解を提供する目的で、特定の詳細を含む。しかしながら、これらの概念がこれらの特定の詳細なしに実施できることは当業者にとって明らかであろう。いくつかの実例において、よく知られている構造およびコンポーネントは、このような概念を曖昧にすることを避けるためにブロックダイヤグラム形態で示されている。
【００１４】
［００２７］
さまざまな装置および方法を参照して、電気通信システムのいくつかの態様を、これから提示する。これらの装置および方法は、以下の詳細な説明において説明され、添付の図面において、さまざまなブロック、コンポーネント、回路、プロセス、アルゴリズム等（総称して「要素」と呼ばれる）によって図示される。これらの要素は、電子ハードウェア、コンピュータソフトウェア、または、これらの任意の組み合わせを使用して、実現してもよい。このような要素が、ハードウェアとして実現されるか、または、ソフトウェアとして実現されるかは、特定のアプリケーションおよびシステム全体に課せられる設計制約に依存する。
【００１５】
［００２８］
例として、要素、または、要素の任意の一部、または、要素の任意の組み合わせを、１つ以上のプロセッサを含む「処理システム」として実現してもよい。プロセッサの例は、マイクロプロセッサ、マイクロ制御装置、グラフィック処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラム可能ゲートアレイ（ＦＧＰＡ）、プログラム可能論理デバイス（ＰＬＤ）、状態機械、ゲート論理、ディスクリートハードウェア回路、本開示全体を通して説明しているさまざまな機能性を実行するように構成されている他の適切なハードウェアを含む。処理システムにおける１つ以上のプロセッサが、ソフトウェアを実行してもよい。ソフトウェアは、ソフトウェアで、ファームウェアで、ミドルウェアで、マイクロコードで、ハードウェア記述言語で、または、別の方法で呼ばれるかにかかわらず、命令、命令のセット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行のスレッド、手順、機能等を意味するように広く解釈されるべきである。
【００１６】
［００２９］
したがって、１つ以上の例示的な実施形態において説明する機能は、ハードウェア、ソフトウェア、またはこれらの任意の組み合わせ中で実現してもよい。ソフトウェアにおいて実現する場合、機能は、コンピュータ読取可能媒体上において１つ以上の命令またはコードとして記憶またはエンコードされてもよい。コンピュータ読取可能媒体は、コンピュータ記憶媒体を含む。記憶媒体は、コンピュータによってアクセスすることができる任意の利用可能な媒体であってもよい。限定ではなく例として、このようなコンピュータ読取可能媒体は、ランダムアクセスメモリ（ＲＡＭ）、読取専用メモリ（ＲＯＭ）、電気的消去可能プログラム可能ＲＯＭ（ＥＥＰＲＯＭ（登録商標））、光ディスク記憶装置、磁気ディスク記憶装置、他の磁気記憶デバイス、前述のタイプのコンピュータ読取可能媒体の組み合わせ、または、コンピュータによってアクセスできる命令またはデータ構造の形態でコンピュータ実行可能コードを記憶するために使用できる他の何らかの媒体を含むことができる。
【００１７】
［００３０］
図１は、ワイヤレス通信システムとアクセスネットワーク１００の例を図示するダイヤグラムである。（ワイヤレス広域ネットワーク（ＷＷＡＮ）とも呼ばれる）ワイヤレス通信システムは、基地局１０２、ＵＥ１０４、進化型パケットコア（ＥＰＣ）１６０を含む。基地局１０２は、マクロセル（高電力セルラ基地局）および／またはスモールセル（低電力セルラ基地局）を含んでいてもよい。マクロセルはｅＮＢを含んでいる。スモールセルは、フェムトセル、ピコセル、および、マイクロセルを含んでいる。
【００１８】
［００３１］
（進化型ユニバーサル移動体電気通信システム（ＵＭＴＳ）地上無線アクセスネットワーク（Ｅ−ＵＴＲＡＮ）と総称して呼ばれる）基地局１０２は、バックホールリンク１３２（例えば、Ｓ１インターフェース）を通してＥＰＣ１６０とインターフェースする。他の機能に加えて、基地局１０２は、以下の機能：ユーザデータの転送、無線チャネル暗号化および解読、完全性保護、ヘッダ圧縮、移動制御機能（例えば、ハンドオーバー、デュアル接続）、セル間干渉調整、接続セットアップおよび解放、負荷バランス、非アクセスストラタム（ＮＡＳ）メッセージングに対する分配、ＮＡＳノード選択、同期化、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、ポジショニング、および、警告メッセージの配信、のうちの１つ以上を実行してもよい。基地局１０２は、直接的にまたは間接的に（例えば、ＥＰＣ１６０を通して）、バックホールリンク１３４（例えば、Ｘ２インターフェース）を通して互いに通信してもよい。バックホールリンク１３４は、ワイヤードまたはワイヤレスであってもよい。
【００１９】
［００３２］
基地局１０２は、ＵＥ１０４とワイヤレスに通信してもよい。基地局１０２のそれぞれは、それぞれの地理的カバレッジエリア１１０のための通信カバレッジを提供してもよい。オーバーラップしている地理的カバレッジエリア１１０があってもよい。例えば、スモールセル１０２’は、１つ以上のマクロ基地局１０２のカバレッジエリア１１０とオーバーラップするカバレッジエリア１１０’を有していてもよい。スモールセルとマクロセルの両方を含むネットワークは、ヘテロジニアスネットワークとして知られているかもしれない。ヘテロジニアスネットワークは、ホーム進化型ノードＢ（ｅＮＢ）（ＨｅＮＢ）も含んでいてもよく、これは、閉じられた加入者グループ（ＣＳＧ）として知られている制限されたグループにサービスを提供できる。基地局１０２とＵＥ１０４との間の通信リンク１２０は、ＵＥ１０４から基地局１０２への（リバースリンクとも呼ばれる）アップリンク（ＵＬ）送信、および／または、基地局１０２からＵＥ１０４への（フォワードリンクとも呼ばれる）ダウンリンク（ＤＬ）送信を含んでいてもよい。通信リンク１２０は、空間多重化、ビーム形成、および／または、送信ダイバーシティを含む、ＭＩＭＯアンテナテクノロジーを使用してもよい。通信リンクは、１つ以上の搬送波を通したものであってもよい。基地局１０２／ＵＥ１０４は、各方向への送信に対して使用される合計ＹｘＭＨｚ（ｘはコンポーネント搬送波）までの搬送波アグリゲーションにおいて割り振られる搬送波毎に、ＹＭＨｚ（例えば、５、１０、１５、２０ＭＨｚ）帯域幅までスペクトルを使用するかもしれない。搬送波は、互いに隣接していても、していなくてもよい。搬送波の割り振りは、ＤＬとＵＬに関して非対称であってもよい（例えば、ＵＬに対してよりもＤＬに対して、より多くのまたはより少ない搬送波が割り振られてもよい）。コンポーネント搬送波は、１次コンポーネント搬送波と１つ以上の２次コンポーネント搬送波を含んでいてもよい。１次コンポーネント搬送波は、１次セル（Ｐセル）と呼ばれることがあり、２次コンポーネント搬送波は、２次セル（Ｓセル）と呼ばれることがある。
【００２０】
［００３３］
ワイヤレス通信システムは、５ＧＨｚのライセンスされていない周波数スペクトル中で通信リンク１５４を介してＷｉ−Ｆｉ局（ＳＴＡ）１５２と通信するＷｉ−Ｆｉアクセスポイント（ＡＰ）１５０をさらに含んでいてもよい。ライセンスされていない周波数スペクトル中で通信するとき、ＳＴＡ１５２／ＡＰ１５０は、チャネルが利用可能であるか否かを決定するために、通信する前に、クリアチャネルアセスメント（ＣＣＡ）を実行してもよい。
【００２１】
［００３４］
スモールセル１０２’は、ライセンスされている、および／または、ライセンスされていない周波数スペクトル中で動作してもよい。ライセンスされていない周波数スペクトル中で動作するとき、スモールセル１０２’は、ＬＴＥを用いて、Ｗｉ−Ｆｉ  ＡＰ１５０によって使用されるのと同じ５ＧＨｚのライセンスされていない周波数スペクトルを使用してもよい。ライセンスされていない周波数スペクトル中でＬＴＥを用いるスモールセル１０２’は、アクセスネットワークへのカバレッジをブーストし、および／または、アクセスネットワークの容量を増加させてもよい。ライセンスされていないスペクトル中のＬＴＥは、ＬＴＥ−ライセンスされていない（ＬＴＥ−Ｕ）、ライセンスされている支援アクセス（ＬＡＡ）、または、ＭｕＬＴＥｆｉｒｅと呼ばれることがある。
【００２２】
［００３５］
ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、および、パケットデータネットワーク（ＰＤＮ）ゲートウェイ１７２を含んでいてもよい。ＭＭＥ１６２は、ホーム加入者サーバ（ＨＳＳ）１７４と通信してもよい。ＭＭＥ１６２は、ＵＥ１０４とＥＰＣ１６０との間のシグナリングを処理する制御ノードである。一般的に、ＭＭＥ１６２は、ベアラおよび接続管理を提供する。すべてのユーザインターネットプロトコル（ＩＰ）パケットは、自身がＰＤＮゲートウェイ１７２に接続されているサービングゲートウェイ１６６を通して転送される。ＰＤＮゲートウェイ１７２は、ＵＥ  ＩＰアドレス割り振りとともに、他の機能とを提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス（ＰＳＳ）、および／または、他のＩＰサービスを含んでいてもよい。ＢＭ−ＳＣ１７０は、ＭＢＭＳユーザサービスプロビジョニングおよび配信のための機能を提供してもよい。ＢＭ−ＳＣ１７０は、コンテンツプロバイダＭＢＭＳ送信のためのエントリポイントとして機能してもよく、公衆地上移動体ネットワーク（ＰＬＭＮ）内のＭＢＭＳベアラサービスを認証および開始するために使用してもよく、ＭＢＭＳ送信をスケジューリングするために使用してもよい。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用してもよく、セッション管理（開始／停止）をするおよびｅＭＢＭＳ関連課金情報を集める役割を果たしてもよい。
【００２３】
［００３６］
基地局はまた、ノードＢ、進化型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または、他の何らかの適した専門用語として呼ばれることがある。基地局１０２は、ＵＥ１０４のためにＥＰＣ１６０へのアクセスポイントを提供する。ＵＥ１０４の例は、セルラ電話機、スマートフォン、セッション開始プロトコル（ＳＩＰ）電話機、ラップトップ、パーソナルデジタルアシスタント（ＰＤＡ）、衛星ラジオ、グローバルポジショニングシステム、マルチメディアデバイス、ビデオデバイス、デジタルオーディオプレーヤー（例えば、ＭＰ３プレーヤー）、カメラ、ゲームコンソール、タブレット、スマートデバイス、ウェアラブルデバイス、ｅＭＴＣデバイスまたはＮＢ−ＩｏＴデバイス（例えば、パーキングメーター）、あるいは、他の何らか同様の機能的なデバイスを含む。ＵＥ１０４はまた、局、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語として呼ばれることがある。
【００２４】
［００３７］
図１を参照すると、ある態様において、ＵＥ１０４は、ＣＳＩ基準サブフレームのセットを使用して、ＣＳＩ測定を実行するように構成されていてもよい（１９８）。
【００２５】
［００３８］
図２Ａは、ＬＴＥにおけるＤＬフレーム構造の例を図示するダイヤグラム２００である。図２Ｂは、ＬＴＥにおけるＤＬフレーム構造内のチャネルの例を図示するダイヤグラム２３０である。図２Ｃは、ＬＴＥにおけるＵＬフレーム構造の例を図示するダイヤグラム２５０である。図２Ｄは、ＬＴＥにおけるＵＬフレーム構造内のチャネルの例を図示するダイヤグラム２８０である。他のワイヤレス通信テクノロジーは、異なるフレーム構造および／または異なるチャネルを有していてもよい。ＬＴＥにおいて、フレーム（１０ｍｓ）は、１０個の等しいサイズのサブフレームに分割されてもよい。各サブフレームは、２つの連続する時間スロットを含んでいてもよい。リソースグリッドは、２つの時間スロットを表すために使用されてもよく、各時間スロットは、１つ以上の時間並行リソースブロック（ＲＢ）（物理ＲＢ（ＰＲＢ）とも呼ばれる）を含んでいる。リソースグリッドは、複数のリソース要素（ＲＥ）に分割される。ＬＴＥにおいて、通常のサイクリックプリフィックスに対して、ＲＢは、周波数ドメイン中に１２個の連続する副搬送波と、時間ドメイン中に７個の連続するシンボル（ＤＬについては、ＯＦＤＭシンボル；ＵＬについては、ＳＣ−ＦＤＭＡシンボル）とを含み、合計で８４個のＲＥとなる。拡張したサイクリックプリフィックスに対して、ＲＢは、周波数ドメイン中に１２個の連続する副搬送波と、時間ドメイン中に６個の連続するシンボルとを含み、合計で７２個のＲＥとなる。各ＲＥによって搬送されるビット数は、変調スキームに依存する。
【００２６】
［００３９］
図２Ａ中に図示しているように、ＲＥのうちのいくつかは、ＵＥにおけるチャネル推定のためのＤＬ基準（パイロット）信号（ＤＬ−ＲＳ）を伝える。ＤＬ−ＲＳは、（時には共通ＲＳとも呼ばれる）セル特有基準信号（ＣＲＳ）、ＵＥ特有基準信号（ＵＥ−ＲＳ）、および、チャネル状態情報基準信号（ＣＳＩ−ＲＳ）を含んでいてもよい。図２Ａは、（それぞれＲ０、Ｒ１、Ｒ２、および、Ｒ３として示されている）アンテナポート０、１、２、および、３に対するＣＲＳ、（Ｒ５として示されている）アンテナポ−ト５に対するＵＥ−ＲＳ、（Ｒとして示されている）アンテナポート１５に対するＣＳＩ−ＲＳを図示している。図２Ｂは、フレームのＤＬサブフレーム内のさまざまなチャネルの例を図示している。物理制御フォーマットインジケータチャネル（ＰＣＦＩＣＨ）は、スロット０のシンボル０内にあり、ＰＤＣＣＨが１、２、または、３シンボルを占有するか否かを示す制御フォーマットインジケータ（ＣＦＩ）を伝える（図２Ｂは、３シンボルを占有するＰＤＣＣＨを図示している）。ＰＤＣＣＨは、１つ以上の制御チャネル要素（ＣＣＥ）内でダウンリンク制御情報（ＤＣＩ）を伝え、各ＣＣＥは９個のＲＥグループ（ＲＥＧ）を含み、各ＲＥＧは、ＯＦＤＭシンボル中に４個の連続するＲＥを含んでいる。ＵＥは、ＤＣＩも伝えるＵＥ特有の拡張ＰＤＣＣＨ（ｅＰＤＣＣＨ）で構成されていてもよい。ｅＰＤＣＣＨは、２、４、または、８つのＲＢペアを有していてもよい（図２Ｂは、２つのＲＢペアを示し、各サブセットは１つのＲＢペアを含んでいる）。物理ハイブリット自動反復要求（ＡＲＱ）（ＨＡＲＱ）インジケータチャネル（ＰＨＩＣＨ）も、スロット０のシンボル０内にあり、物理アップリンク共有チャネル（ＰＵＳＣＨ）に基づいて、ＨＡＲＱ肯定応答（ＡＣＫ）／否定ＡＣＫ（ＮＡＣＫ）フィードバックを示すＨＡＲＱインジケータ（ＨＩ）を伝える。１次同期チャネル（ＰＳＣＨ）は、フレームのサブフレーム０および５内のスロット０のシンボル６内にあり、サブフレームタイミングおよび物理レイヤ識別を決定するためにＵＥによって使用される１次同期信号（ＰＳＳ）を伝える。２次同期チャネル（ＳＳＣＨ）は、フレームのサブフレーム０および５内のスロット０のシンボル５内にあり、物理レイヤセル識別グループ番号を決定するためにＵＥによって使用される
２次同期信号（ＳＳＳ）を伝える。物理レイヤ識別と物理レイヤセル識別グループ番号とに基づいて、ＵＥは、物理セル識別子（ＰＣＩ）を決定できる。ＰＣＩに基づいて、ＵＥは、前述のＤＬ−ＲＳのロケーションを決定できる。物理ブロードキャストチャネル（ＰＢＣＨ）は、フレームのサブフレーム０のスロット１のシンボル０、１、２、３内にあり、マスタ情報ブロック（ＭＩＢ）を伝える。ＭＩＢは、ＤＬシステム帯域幅中のＲＢの数、ＰＨＩＣＨコンフィギュレーション、および、システムフレーム番号（ＳＦＮ）を提供する。物理ダウンリンク共有チャネル（ＰＤＳＣＨ）は、ユーザデータと、システム情報ブロック（ＳＩＢ）のようなＰＢＣＨを通して送信されないブロードキャストシステム情報と、ページングメッセージとを伝える。
【００２７】
［００４０］
図２Ｃ中に図示するように、ＲＥのうちのいくつかは、ｅＮＢにおけるチャネル推定のための復調基準信号（ＤＭ−ＲＳ）を伝える。ＵＥは、サブフレームの最後のシンボルにおいて、サウンディング基準信号（ＳＲＳ）を付加的に送信してもよい。ＳＲＳは、櫛構造を有していてもよく、ＵＥは、櫛のうちの１つの上で、ＳＲＳを送信してもよい。ＳＲＳは、ＵＬ上の周波数依存スケジューリングを可能にするように、チャネル品質推定のためにｅＮＢによって使用してもよい。図２Ｄは、フレームのＵＬサブフレーム内のさまざまなチャネルの例を図示している。物理ランダムアクセスチャネル（ＰＲＡＣＨ）は、ＰＲＡＣＨコンフィギュレーションに基づいて、フレーム内の１つ以上のサブフレーム内にあってもよい。ＰＲＡＣＨは、サブフレーム内に６つの連続するＲＢペアを含んでいてもよい。ＰＲＡＣＨは、ＵＥが初期システムアクセスを実行し、ＵＬ同期化を達成できるようにする。物理アップリンク制御チャネル（ＰＵＣＣＨ）は、ＵＬシステム帯域幅の端に位置付けられていてもよい。ＰＵＣＣＨは、スケジューリング要求、チャネル品質インジケータ（ＣＱＩ）、プレコーディングマトリックスインジケータ（ＰＭＩ）、ランクインジケータ（ＲＩ）、およびＨＡＲＱ  ＡＣＫ／ＮＡＣＫフィードバックのような、アップリンク制御情報（ＵＣＩ）を伝える。ＰＵＳＣＨは、データを伝え、バッファステータスレポート（ＢＳＲ）、電力ヘッドルームレポート（ＰＨＲ）、および／または、ＵＣＩを伝えるために付加的に使用してもよい。
【００２８】
［００４１］
図３は、アクセスネットワークにおいてＵＥ３５０と通信するｅＮＢ３１０のブロックダイヤグラムである。ＤＬにおいて、ＥＰＣ１６０からのＩＰパケットは、制御装置／プロセッサ３７５に提供されてもよい。制御装置／プロセッサ３７５は、レイヤ３およびレイヤ２機能性を実現する。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および、媒体アクセス制御（ＭＡＣ）レイヤを含んでいる。制御装置／プロセッサ３７５は、システム情報（例えば、ＭＩＢ、ＳＩＢ）ブロードキャストと、ＲＲＣ接続制御（例えば、ＲＲＣ接続ページング、ＲＲＣ接続確立、ＲＲＣ接続修正、および、ＲＲＣ接続解放）と、無線アクセステクノロジー（ＲＡＴ）間モビリティと、ＵＥ測定レポーティングのための測定コンフィギュレーションとに関係付けられているＲＲＣレイヤ機能性；ヘッダ圧縮／伸長、セキュリティ（暗号化、解読、完全性保護、完全性検証）と、ハンドオーバーサポート機能とに関係付けられているＰＤＣＰレイヤ機能性；上位レイヤパケットデータユニット（ＰＤＵ）の転送と、ＡＲＱを通した誤り訂正と、ＲＬＣサービスデータユニット（ＳＤＵ）の、連結、セグメント化および再アセンブリと、ＲＬＣデータＰＤＵの再セグメント化と、ＲＬＣデータＰＤＵの再順序付けとに関係付けられているＲＬＣレイヤ機能性；論理チャネルと伝送チャネルとの間のマッピングと、伝送ブロック（ＴＢ）へのＭＡＣ  ＳＤＵの多重化と、ＴＢからのＭＡＣ  ＳＤＵの多重分離と、スケジューリング情報レポーティングと、ＨＡＲＱを通した誤り訂正と、優先取り扱いと、論理チャネル優先順位付けとに関係付けられているＭＡＣレイヤ機能性を提供する。
【００２９】
［００４２］
送信（ＴＸ）プロセッサ３１６と受信（ＲＸ）プロセッサ３７０は、さまざまな信号処理機能に関係付けられているレイヤ１機能性を実現する。物理（ＰＨＹ）レイヤを含むレイヤ１は、伝送チャネル上の誤り検出、伝送チャネルの前方誤り訂正（ＦＥＣ）コーディング／デコーディング、インターリーブ、レートマッチング、物理チャネル上へのマッピング、物理チャネルの変調／復調、および、ＭＩＭＯアンテナ処理を含んでいてもよい。ＴＸプロセッサ３１６は、さまざまな変調スキーム（例えば、２位相シフトキーイング（ＢＰＳＫ）、直角位相シフトキーイング（ＱＰＳＫ）、Ｍ位相シフトキーイング（Ｍ−ＰＳＫ）、Ｍ直角振幅変調（Ｍ−ＱＡＭ））に基づいて、信号配列にマッピングすることを取り扱う。コーディングおよび変調されたシンボルは、その後、並行なストリームに分けられてもよい。その後、各ストリームは、ＯＦＤＭ副搬送波にマッピングされ、時間および／または周波数ドメインにおいて基準信号（例えば、パイロット）と多重化され、その後、逆高速フーリエ変換（ＩＦＦＴ）を使用して互いに組み合わされ、時間ドメインＯＦＤＭシンボルストリームを伝える物理チャネルを生成させてもよい。ＯＦＤＭストリームは、複数の空間ストリームを生成させるために空間的にプリコーディングされる。チャネル推定器３７４からのチャネル推定は、コーディングおよび変調スキームを決定するとともに空間処理のために使用してもよい。チャネル推定は、ＵＥ３５０によって送信される基準信号および／またはチャネル条件フィードバックから導出してもよい。各空間ストリームは、その後、別個の送信機３１８ＴＸを介して、異なるアンテナ３２０に提供されてもよい。各送信機３１８ＴＸは、送信のために、それぞれの空間ストリームにより、ＲＦ搬送波を変調してもよい。
【００３０】
［００４３］
ＵＥ３５０において、各受信機３５４ＲＸは、そのそれぞれのアンテナ３５２を通して信号を受信する。各受信機３５４ＲＸは、ＲＦ搬送波上に変調された情報を復元し、情報を受信（ＲＸ）プロセッサ３５６に提供する。ＴＸプロセッサ３６８とＲＸプロセッサ３５６は、さまざまな信号処理機能に関係付けられているレイヤ１機能性を実現する。ＲＸプロセッサ３５６は、情報に関して空間処理を実行して、ＵＥ３５０に向けられている任意の空間ストリームを復元してもよい。複数の空間ストリームがＵＥ３５０に向けられている場合、これらは、ＲＸプロセッサ３５６によって単一のＯＦＤＭシンボルストリームに組み合わされてもよい。ＲＸプロセッサ３５６は、その後、高速フーリエ変換（ＦＦＴ）を使用して、ＯＦＤＭシンボルストリームを時間ドメインから周波数ドメインへと変換する。周波数ドメイン信号は、ＯＦＤＭ信号の各副搬送波に対して別個のＯＦＤＭシンボルストリームを備えている。各副搬送波におけるシンボルと、基準信号は、ｅＮＢ３１０によって送信される、最も可能性の高い信号配列ポイントを決定することによって、復元および復調される。これらの軟判定は、チャネル推定器３５８によって、計算されるチャネル推定に基づいていてもよい。その後、軟判定は、デコードおよびデインターリーブされて、物理チャネル上でｅＮＢ３１０により元々送信されたデータおよび制御信号が復元される。その後、データと制御信号は、制御装置／プロセッサ３５９に提供され、これは、レイヤ３およびレイヤ２機能性を実現する。
【００３１】
［００４４］
制御装置／プロセッサ３５９を、プログラムコードおよびデータを記憶するメモリ３６０に関係付けることができる。メモリ３６０は、コンピュータ読取可能媒体として呼ばれることがある。ＵＬにおいて、制御装置／プロセッサ３５９は、伝送チャネルと論理チャネルの間の多重分離、パケットの再アセンブリ、解読、ヘッダ伸長、制御信号処理を提供して、ＥＰＣ１６０からのＩＰパケットを復元する。制御装置／プロセッサ３５９はまた、ＨＡＲＱ動作をサポートするためにＡＣＫおよび／またはＮＡＣＫプロトコルを使用して、誤り検出を担う。
【００３２】
［００４５］
ｅＮＢ３１０によるＤＬ送信に関連して説明した機能性に類似して、制御装置／プロセッサ３５９は、システム情報（例えば、ＭＩＢ、ＳＩＢ）獲得と、ＲＲＣ接続と、測定レポーティングとに関係付けられているＲＲＣレイヤ機能性；ヘッダ圧縮／伸長と、セキュリティ（暗号化、解読、完全性保護、完全性検証）とに関係付けられているＰＤＣＰレイヤ機能性；上位レイヤＰＤＵの転送と、ＡＲＱを通した誤り訂正と、ＲＬＣ  ＳＤＵの、連結、セグメント化および再アセンブリと、ＲＬＣデータＰＤＵの再セグメント化と、ＲＬＣデータＰＤＵの再順序付けとに関係付けられているＲＬＣレイヤ機能性；論理チャネルと伝送チャネルとの間のマッピングと、ＴＢへのＭＡＣ  ＳＤＵの多重化と、ＴＢからのＭＡＣ  ＳＤＵの多重分離と、スケジューリング情報レポーティングと、ＨＡＲＱを通した誤り訂正と、優先取り扱いと、論理チャネル優先順位付けとに関係付けられているＭＡＣレイヤ機能性を提供する。
【００３３】
［００４６］
ｅＮＢ３１０によって送信される基準信号またはフィードバックからチャネル推定器３５８によって導出されるチャネル推定は、適切なコーディングおよび変調スキームを選択し、空間処理を促進するように、ＴＸプロセッサ３６８によって使用されてもよい。ＴＸプロセッサ３６８によって発生される空間ストリームは、別個の送信機３５４ＴＸを介して、異なるアンテナ３５２に提供されてもよい。各送信機３５４ＴＸは、送信のために、それぞれの空間ストリームにより、ＲＦ搬送波を変調してもよい。
【００３４】
［００４７］
ＵＬ送信は、ＵＥ３５０における受信機機能に関連して説明した方法と類似する方法でｅＮＢ３１０において処理される。各受信機３１８ＲＸは、そのそれぞれのアンテナ３２０を通して、信号を受信する。各受信機３１８ＲＸは、ＲＦ搬送波上に変調された情報を復元し、ＲＸプロセッサ３７０に情報を提供する。
【００３５】
［００４８］
制御装置／プロセッサ３７５を、プログラムコードおよびデータを記憶するメモリ３７６に関係付けることができる。メモリ３７６は、コンピュータ読取可能媒体と呼ばれることがある。ＵＬにおいて、制御装置／プロセッサ３７５は、伝送チャネルと論理チャネルの間の多重分離、パケットの再アセンブリ、解読、ヘッダ伸長、制御信号処理を提供して、ＵＥ３５０からのＩＰパケットを復元する。制御装置／プロセッサ３７５からのＩＰパケットは、ＥＰＣ１６０に提供されてもよい。制御装置／プロセッサ３７５はまた、ＨＡＲＱ動作をサポートするためにＡＣＫおよび／またはＮＡＣＫプロトコルを使用して、誤り検出を担う。
【００３６】
［００４９］
ワイヤレス通信において、ＣＳＩは、ＵＥとｅＮＢとの間の通信リンクの既知のチャネル特性を指し得る。ＣＳＩは、ｅＮＢからＵＥに信号（例えば送信）がどのように伝搬するかを示してもよく、例えば、距離による、散乱、フェーディング、および電力減衰の組み合わされた影響を表してもよい。ｅＭＴＣを介して通信しないＵＥは、ｅＮＢからの送信における単一のサブフレームを使用して、ＣＳＩを測定できるかもしれない。ＣＳＩ測定は、ｅＮＢにレポートされてもよく、ｅＮＢは、ＣＳＩレポートを使用して、送信を現在のチャネル条件に適合させてもよく、これは、複数アンテナシステムにおける高データレートにより信頼性のある通信を達成することを手助けするかもしれない。
【００３７】
［００５０］
ｅＭＴＣに関係する低いＳＮＲが原因で、ｅＭＴＣと通信するＵＥは、単一のサブフレームを使用して、ＣＳＩ測定を実行できないかもしれない。
【００３８】
［００５１］
この問題を解決するために、本開示は、ＣＳＩ測定を実行するために使用されてもよいＣＳＩ基準サブフレームのセットをＵＥに示すことを目的としている。ＣＳＩ基準サブフレームのセットは、周波数ホッピングが生じるとき、複数の周波数を通して測定されるかもしれない。さらに、ＵＥは、最新のＣＳＩレポートを提供するために、ＣＳＩ測定からあるＣＳＩ基準サブフレーム（例えば、古すぎるサブフレーム）を省略してもよい。
【００３９】
［００５２］
図４は、ｅＭＴＣ通信システム４００のダイヤグラムである。ｅＭＴＣ通信システム４００は、セルラ領域４０２中に位置付けられているＵＥ４０６と通信するｅＮＢ４０４を含んでいてもよい。ｅＭＴＣデバイス（例えば、ＵＥ４０６）のカバレッジ向上は、ｅＭＴＣ通信システム４００内のより信頼性ある通信を提供するために用いられてもよい。カバレッジ向上は、とりわけ、周波数ホッピングを含んでいてもよい。例えば、ＵＥ４０６は、複数のアクセステクノロジーにおいて使用される広帯域チャネルの周波数ダイバーシティを活用して、カバレッジ向上を提供するために、異なる周波数チャネル（例えば、狭帯域チャネル）間で搬送波を切り替えることによって、信号を監視すること、受信すること、および／または、送信することにより、周波数ホッピングを実行してもよい。さらに、ＣＳＩ測定を実行するために、周波数ホッピングが生じるとき、ＵＥ４０６は、異なる周波数に渡ってＣＳＩ基準サブフレームのセットを使用してもよい。
【００４０】
［００５３］
１つの態様において、ｅＮＢ４０４とのｅＭＴＣのためにＣＳＩ測定を実行する際にＵＥ４０６が使用するために、ｅＮＢ４０４は、ＣＳＩ基準サブフレームの好ましい数に関係付けられている情報４１０を送信してもよい。例えば、ＣＳＩ基準サブフレームの好ましい数に関係付けられている情報４１０は、Ｒ＿ＣＳＩ最大および／またはＲＣＱＩとして示されてもよい。ある態様において、ＵＥ４０６は、ＰＤＣＣＨがｅＮＢ４０４から受信される少なくとも１つの周波数チャネル上のサブフレームのセットを監視してもよい４０５。別の態様において、ＵＥ４０６は、ＣＳＩ測定を実行するために、ＣＳＩ測定基準サブフレーム４０５として、サブフレームのセットの少なくとも一部分を使用してもよい。ＣＳＩ測定は、ＣＳＩレポート４２０において、ｅＮＢ４０４に送信されてもよい。
【００４１】
［００５４］
第１の例示的な実施形態において、ＣＳＩ基準サブフレームとしてＵＥ４０６によって使用されるサブフレームの数は、ＣＳＩ基準サブフレームの好ましい数よりも少ないかもしれない。第１の例示的な実施形態において、ＵＥ４０６は、スケーリングファクターをＣＳＩ測定に適用することによって、ＣＳＩ測定を実行してもよい。スケーリングファクターは、ＣＳＩ基準サブフレームの好ましい数に比例していてもよい。例えば、ＣＳＩ測定を実行するために使用されるサブフレームの数がＲ＿ＣＳＩ最大より少ないとき、Ｒ＿ＣＳＩ最大をスペクトル効率推定に対するスケーリング値として取り扱ってもよい。ここで、サブフレームのセットへのＣＳＩ基準サブフレームのマッピングはないかもしれない。さらに、古くなったＣＳＩ測定をどのように扱うかを決定することは、ＵＥインプリメンテーションに委ねてもよい。追加的におよび／または代替的に、平均スペクトル効率を計算することにより４０５、および、スケーリングファクターを平均スペクトル効率に適用することにより、ＵＥ４０６は、ＣＳＩ測定を実行してもよい。例えば、平均スペクトル効率は、重み付けられた平均、指数平均、または、別のタイプの平均のうちの少なくとも１つを含んでいてもよい。
【００４２】
［００５５］
第２の例示的な実施形態において、ＰＤＣＣＨが受信されるサブフレームのセットは、第１の周波数帯域上のサブフレームのセットと、第２の周波数帯域上のサブフレームのセットとを含んでいてもよい。第２の例示的な実施形態において、第２の周波数帯域上のサブフレームのセットの一部分ではなく、第１の周波数帯域上のサブフレームのセットの少なくとも一部分をＣＳＩ基準サブフレームとして使用するＣＳＩ測定を実行することにより、ＵＥ４０６はＣＳＩ測定を実行してもよい。第２の実施形態のさらなる詳細を図５に関して以下に説明する。
【００４３】
［００５６］
図５は、単一ＮＢ周波数からのサブフレームがＣＳＩ周波数測定を実行する際に使用されるＮＢ周波数ホッピングを図示したダイヤグラム５００である。ＮＢワイヤレス通信は、限られた周波数次元と通信することを伴う。ＮＢワイヤレス通信の１つの例は、ＮＢ−ＩｏＴであり、これは、システム帯域幅の単一のＲＢ、例えば、２００Ｈｚに限られる。ＮＢワイヤレス通信の別の例は、ｅＭＴＣであり、これは、システム帯域幅の６つのＲＢに限られる。
【００４４】
［００５７］
図５は、２つの異なるＮＢ周波数（例えば、ＮＢ１とＮＢ２）上のＰＤＣＣＨサブフレーム５０２を図示している。ここで、ＵＥ４０６は、ＰＤＣＣＨを監視するために、ＮＢ１とＮＢ２との間で周波数ホッピングしてもよい。周波数ホッピングのケースにおいて、周波数のうちの１つ以上がＣＳＩ基準期間の間、観察されない（例えば、ＮＢ２は観察されない）シナリオがあるかもしれない。したがって、ＵＥ４０６は、ＮＢ２上ではなくＮＢ１上のサブフレームのセットの一部分をＣＳＩ基準サブフレーム５０４として使用して、ＣＳＩ測定を実行してもよい。図５中に図示している例では、ＮＢ１中で観察される最後のＲ＿ＣＳＩ最大（例えば、Ｒ＿ＣＳＩ最大＝４）が、ＣＳＩ基準サブフレーム５０４として使用される。
【００４５】
［００５８］
図４を再度参照すると、第３の例示的な実施形態において、ＰＤＣＣＨが受信されるサブフレームのセットは、第１の周波数帯域上のサブフレームのセットと、第２の周波数帯域上のサブフレームのセットとを含んでいてもよい。この第３の例示的な実施形態において、ＵＥ４０６は、少なくとも、第１の周波数帯域上のサブフレームのセットの一部分と、第２の周波数帯域上のサブフレームのセットの一部分とを、ＣＳＩ基準サブフレームとして使用して、ＣＳＩ測定を実行してもよい。第３の例示的な実施形態のさらなる例は、図６に関して以下に説明する。
【００４６】
［００５９］
図６は、２つのＮＢ周波数からのサブフレームがＣＳＩ周波数測定を実行する際に使用されるＮＢ周波数ホッピングを図示したダイヤグラム６００である。図６は、２つの異なるＮＢ周波数（例えば、ＮＢ１とＮＢ２）上のＰＤＣＣＨサブフレーム６０２を図示している。ここで、ＵＥ４０６は、ＰＤＣＣＨを監視するために、ＮＢ１とＮＢ２との間で周波数ホッピングしてもよい。周波数ホッピングのケースにおいて、ＣＳＩ基準期間の間、複数の周波数が観察される（例えば、ＮＢ１とＮＢ２の両方が観察される）事例があるかもしれない。したがって、ＵＥ４０６は、ＮＢ１上のサブフレームの一部分とＮＢ２上のサブフレーム６０４ｂの一部分とをＣＳＩ基準サブフレームとして使用して、ＣＳＩ測定を実行してもよい。図６中に示している例では、ＮＢ１とＮＢ２のそれぞれにおいて観察される最後のＲ＿ＣＳＩ最大（例えば、Ｒ＿ＣＳＩ最大＝４）が、ＣＳＩ基準サブフレーム６４０ａ、６４０ｂとして使用されてもよい。言い換えると、ＵＥ４０６は、ＮＢ１とＮＢ２のそれぞれにおいて、４つのサブフレームを使用してＣＳＩを測定してもよい。
【００４７】
［００６０］
例えば、ＵＥ４０６は、ＮＢ１上のＣＳＩ基準サブフレームの第１のセット６０４ａを決定することと、ＮＢ２上のＣＳＩ基準サブフレームの第２のセット６０４ｂを決定することとによって、ＮＢ１とＮＢ２に渡るＣＳＩ測定を実行してもよい。言い換えると、ＣＳＩ測定は、ＣＳＩ基準サブフレームの第１のセット６０４ａと、ＣＳＩ基準サブフレームの第２のセット６０４ｂとを使用して実行されてもよい。
【００４８】
［００６１］
ある態様では、ＣＳＩ基準サブフレーム６０４ａ、６０４ｂ中の各サブフレームは、ダウンリンクサブフレームまたは特殊サブフレームであってもよく、ＵＥ４０６によって測定される最初のサブフレームは、サブフレームｎであり、ＵＥ４０６によって測定される最後のサブフレームは、サブフレームｎ−ｎＣＱＩ＿ｒｅｆである。周期的および／または非周期的ＣＳＩレポーティングに対して、ｎＣＱＩ＿ｒｅｆは、４より大きくてもよく、または、４と等しくてもよい。
【００４９】
［００６２］
さらなる態様では、ＣＳＩ基準サブフレームの第１のセット６０４ａとＣＳＩ基準サブフレームの第２のセット６０４ｂは、それぞれ、Ｎ個の基準サブフレームを含んでいてもよい。例えば、Ｎは、ＮＢ１とＮＢ２のそれぞれ上のサブフレームｎ−ｎＣＱＩ＿ｒｅｆの前に測定される最後のＣＳＩ基準サブフレーム（ＲＣＳＩ）の数と等しくてもよい。
【００５０】
［００６３］
このようなケースでは、ＵＥ４０６は、サブフレームセット（例えば、サブフレーム１〜８）中のＣＳＩ基準サブフレーム６０４ａ、６０４ｂに渡るスペクトル効率（ＳＥ）平均化を実行してもよい。言い換えると、ＵＥ４０６は、狭帯域のそれぞれにおけるＣＳＩ基準サブフレーム６０４ａ、６０４ｂに渡るＳＥを平均化することにより、ＣＳＩ測定を実行してもよい。例えば、以下の式１において示すように、サブフレームの増加した数を補償するための正規化により、広帯域ＣＳＩ測定は、８個の観察されたサブフレームに基づいていてもよい。
【数１】
2019516286.tif 000003
【００５１】
［００６４］
一方で、狭帯域ＣＱＩ測定は、以下の式２および３を使用して決定してもよい。
【数２】
2019516286.tif 000004
【数３】
2019516286.tif 000005
【００５２】
［００６５］
再度図４を参照すると、第４の例示的な実施形態において、ＭＢＳＦＮサブフレームと不連続受信（ＤＲＸ）サブフレームは、ＣＳＩ測定を実行する際にＵＥ４０６によって使用されるＣＲＳを含んでいないかもしれないことから、ＵＥ４０６は、ＭＢＳＦＮサブフレームまたはＤＲＸサブフレームを使用して、ＣＳＩ測定を実行しないかもしれない。したがって、ＵＥ４０６は、ＣＳＩ基準サブフレームから任意のＭＢＳＦＮサブフレームおよび／またはＤＲＸサブフレームを除外してもよい。第４の例示的な実施形態のさらなる詳細を、図７Ａおよび７Ｂに関して以下に説明する。
【００５３】
［００６６］
図７Ａは、２つのＮＢ周波数からのサブフレームがＣＳＩ周波数測定を実行する際に使用されるＮＢ周波数ホッピングを図示したダイヤグラム７００である。図７Ａは、２つの異なるＮＢ周波数（例えば、ＮＢ１とＮＢ２）上のＰＤＣＣＨサブフレーム７０２を図示している。さらに、ＮＢ１とＮＢ２のぞれぞれは、ＭＢＳＦＮサブフレーム７０６を含んでいる。ここで、ＵＥ４０６は、ＰＤＣＣＨを監視するために、ＮＢ１とＮＢ２との間で周波数ホッピングしてもよい。さらに、ＵＥ４０６は、ＮＢ１上のサブフレームのセットの一部分とＮＢ２上のサブフレームのセットの一部分の両方をＣＳＩ基準サブフレーム７０４として使用して、ＣＳＩ測定を実行してもよい。しかしながら、ＵＥ４０６は、上記で説明した理由により、ＣＳＩ測定を実行する際に、ＭＢＳＦＮサブフレーム７０６を使用しないかもしれない。
【００５４】
［００６７］
図７Ａ中に示している例では、ＵＥ４０６は、ＭＢＳＦＮサブフレーム７０６を含まない、ＮＢ１とＮＢ２それぞれにおいて観察される最後のＲ＿ＣＳＩ最大（例えば、Ｒ＿ＣＳＩ最大＝４）を使用して、ＣＳＩ測定を実行してもよい。例えば、ＮＢ１に関して、Ｒ＿ＣＳＩ最大は、最後の３つのサブフレーム７０２と最後から５番目のサブフレーム７０２とを含む（例えば、ＭＢＳＦＮサブフレーム７０６である最後から４番目のサブフレームは省く）。ＮＢ２に関して、Ｒ＿ＣＳＩ最大は、最後のサブフレームに隣接する４つのサブフレーム７０２のセットを含む（例えば、ＭＢＳＦＮサブフレーム７０６である最後のサブフレームは省く）。
【００５５】
［００６８］
図７Ｂは、４つのＮＢ周波数からのサブフレームがＣＳＩ周波数測定を実行する際に使用されるＮＢ周波数ホッピングを図示したダイヤグラム７１０である。図７Ｂは、４つの異なるＮＢ周波数（例えばＮＢ１、ＮＢ２、ＮＢ３、および、ＮＢ４）上で受信されるＰＤＣＣＨサブフレーム７０２を図示している。さらに、ＮＢ１、ＮＢ２、および、ＮＢ３のそれぞれは、ＭＢＳＦＮサブフレーム７０６を含んでいる。ここで、ＵＥ４０６は、ＰＤＣＣＨを監視するために、ＮＢ１、ＮＢ２、ＮＢ３、および、ＮＢ４の間で周波数ホッピングしてもよい。さらに、ＵＥ４０６は、ＮＢ１上のサブフレームのセットの一部分と、ＮＢ２上のサブフレームのセットの一部分と、ＮＢ３上のサブフレームのセットの一部分と、ＮＢ４上のサブフレームのセットの一部分とをＣＳＩ基準サブフレーム７０４として使用して、ＣＳＩ測定を実行してもよい。しかしながら、ＵＥ４０６は、ＣＳＩ測定を実行する際に、ＭＢＳＦＮサブフレーム７０６を使用しないかもしれない。
【００５６】
［００６９］
図７Ｂ中に示している例では、ＵＥ７０４は、ＭＢＳＦＮサブフレーム７０６を含まないＮＢ１とＮＢ２とＮＢ３のそれぞれにおいて観察される最後のＲ＿ＣＳＩ最大（例えば、Ｒ＿ＣＳＩ最大＝４）を使用して、ＣＳＩ測定を実行してもよい。例えば、ＮＢ１に関して、Ｒ＿ＣＳＩ最大は、最後のサブフレームに隣接する４つのサブフレーム７０２のセットを含む（例えば、ＭＢＳＦＮサブフレーム７０６である最後のサブフレームは省く）。ＮＢ２に関して、Ｒ＿ＣＳＩ最大は、最後の３つのサブフレーム７０２と最後から５番目のサブフレーム７０２とを含む（例えば、ＭＢＳＦＮサブフレーム７０６である最後から４番目のサブフレームは省く）。ＮＢ３に関して、Ｒ＿ＣＳＩ最大は、最後のサブフレームに隣接する４つのサブフレーム７０２のセットを含む（例えば、ＭＢＳＦＮサブフレーム７０６である最後のサブフレームは省く）。ＮＢ４に関して、ＮＢ４中にＭＢＳＦＮサブフレーム７０６はないことから、Ｒ＿ＣＳＩ最大は、最後の４つのサブフレーム７０２を含む。
【００５７】
［００７０］
再度図４を参照すると、第５の例示的な実施形態において、ＵＥ４０６は、第１の周波数チャネルまたは第２の周波数チャネルのうちの１つにおいて受信されるＰＤＳＣＨを監視してもよい。ここで、ＰＤＳＣＨサブフレームがＰＤＣＣＨサブフレームと同じ周波数帯域で受信されるとき、ＵＥ４０６は、ＰＤＳＣＨサブフレームのセットの少なくとも一部分をＣＳＩ基準サブフレームとして使用して、ＣＳＩ測定４０５を実行してもよい。
【００５８】
［００７１］
第６の例示的な実施形態において、ＵＥ４０６は、ＰＤＣＣＨに対してＵＥ４０６が監視する第１の周波数帯域とＰＤＣＣＨに対してＵＥ４０６が監視する第２の周波数帯域との間の周波数ホッピングにより、第３の周波数帯域中で受信されるＰＤＳＣＨを監視してもよい。第６の例示的な実施形態のさらなる詳細を、図８に関して以下に説明する。
【００５９】
［００７２］
図８は、２つのＮＢ周波数からのサブフレームがＣＳＩ周波数測定を実行する際に使用されるＮＢ周波数ホッピングを図示したダイヤグラム８００である。図８は、ＰＤＣＣＨが受信される２つの異なるＮＢ周波数（例えば、ＮＢ１およびＮＢ２）上で受信されるＰＤＣＣＨサブフレーム８０２を図示している。さらに、図８は、第３の周波数（例えば、ＮＢ３）を図示している。ＮＢ１とＮＢ２のそれぞれは、ＭＢＳＦＮサブフレーム８０６を含んでいる。ここで、ＵＥ４０６は、ＰＤＳＣＨとＰＤＣＣＨを監視するために、周波数ホッピングしてもよい。さらに、ＵＥ４０６は、ＮＢ１上のサブフレームのセットの一部分と、ＮＢ２上のサブフレームのセットの一部分の両方をＣＳＩ基準サブフレーム８０４として使用して、ＣＳＩ測定を実行してもよい。ＰＤＣＳＣＨサブフレーム８０８は、ＰＤＣＣＨサブフレーム８０２と同じＮＢ中で受信されないことから、ＵＥ４０６は、ＣＳＩ測定を実行するために、ＰＤＳＣＨサブフレーム８０８を使用しないかもしれない。さらに、ＵＥ４０６は、ＣＳＩ測定を実行する際に、ＮＢ１またはＮＢ２中のＭＢＳＦＮサブフレーム８０６を使用しないかもしれない。図８中に示している例では、ＵＥ４０６は、ＭＢＳＦＮサブフレーム８０６を含まない、ＮＢ１とＮＢ２それぞれにおいて観察される最後のＲ＿ＣＳＩ最大（例えば、Ｒ＿ＣＳＩ最大＝４）を使用して、ＣＳＩ測定を実行してもよい。例えば、ＮＢ１に関して、Ｒ＿ＣＳＩ最大は、最後のサブフレームに隣接する４つのサブフレーム８０２のセットを含む（例えば、ＭＢＳＦＮサブフレーム８０６である最後のサブフレームは省く）。ＮＢ２に関して、Ｒ＿ＣＳＩ最大は、最後のサブフレームに隣接する４つのサブフレーム８０２のセットを含む（例えば、ＭＢＳＦＮサブフレーム８０６である最後のサブフレームは省く）。
【００６０】
［００７３］
再度図４を参照すると、第７の例示的な実施形態において、ＣＳＩレポート中に含まれてもよい、サブフレームの最大サブフレームエイジに関係付けられている情報４１０を、ＵＥ４０６は受信してもよい。例えば、情報４１０は、新たなＲＲＣパラメータとしてシグナリングされてもよい。代替的に、情報４１０は、ＰＤＣＣＨに対する反復の最大数またはホッピング長に基づいていてもよい。ＵＥ４０６は、ＣＳＩレポートからの最大サブフレームエイジを超えるサブフレーム４０５を除外してもよい。さらに、ＵＥ４０６は、ＣＳＩレポートから除外されるサブフレーム数に比例するスケーリングファクター４０５を適用することにより、ＣＳＩ測定を実行してもよい。第７の例示的な実施形態のさらなる詳細を、図９に関して以下に説明する。
【００６１】
［００７４］
図９は、２つのＮＢ周波数からのサブフレームがＣＳＩ周波数測定を実行する際に使用されるＮＢ周波数ホッピングを図示したダイヤグラム９００である。図９は、ＵＥ４０６によってＰＤＣＣＨが受信される２つの異なるＮＢ周波数（例えば、ＮＢ１およびＮＢ２）上のＰＤＣＣＨサブフレーム９０２を図示している。さらに、図９は、ＵＥによってＰＤＳＣＨが受信される第３の周波数（例えば、ＮＢ３）を図示している。ＮＢ１とＮＢ２のそれぞれは、ＭＢＳＦＮサブフレーム９０６を含んでいる。ここで、ＵＥ４０６は、ＰＤＳＣＨとＰＤＣＣＨを監視するために、周波数ホッピングしてもよい。さらに、ＵＥ４０６は、ＣＳＩレポート中に含まれてもよい、サブフレームに対する最大サブフレームエイジ（例えば、Ｒ＿最大＿遅延）に関係付けられている情報を受信してもよい。ＵＥ４０６は、ＮＢ１上のサブフレームのセットの一部分と、ＮＢ２上のサブフレームのセットの一部分の両方をＣＳＩ基準サブフレーム９０４として使用して、ＣＳＩ測定を実行してもよい。ＰＤＣＳＣＨサブフレーム９０８は、ＰＤＣＣＨサブフレーム９０２と同じＮＢ中で受信されないことから、ＵＥ４０６は、ＣＳＩ測定を実行するために、ＰＤＳＣＨサブフレーム９０８を使用しないかもしれない。さらに、ＵＥ４０６は、ＣＳＩ測定を実行するために、ＮＢ１またはＮＢ２中のＭＢＳＦＮサブフレーム９０６を使用しないかもしれない。
【００６２】
［００７５］
図９中に示している例では、ＵＥ４０６は、ＭＢＳＦＮサブフレーム９０６を含まず、古いもの（例えば、Ｒ＿最大＿遅延より古い）ではない、ＮＢ１とＮＢ２それぞれにおいて観察される最後のＲ＿ＣＳＩ最大（例えば、Ｒ＿ＣＳＩ最大＝４）を使用して、ＣＳＩ測定を実行してもよい。例えば、ＮＢ１に関して、Ｒ＿ＣＳＩ最大は、最後の３つのサブフレーム９０２と最後から５番目のサブフレーム９０２を含む（例えば、ＭＢＳＦＮサブフレーム９０６である最後のサブフレームは省く）。ＮＢ２に関して、Ｒ＿ＣＳＩ最大は、最後のサブフレームに隣接する４つのサブフレーム９０２を含む（例えば、ＭＢＳＦＮサブフレーム９０６である最後のサブフレームは省く）。しかしながら、Ｒ＿ＣＳＩ最大中の最後の２つのサブフレーム９１０は、Ｒ＿最大＿遅延よりも古いことから、ＵＥ４０６は、これら２つのＣＳＩ基準サブフレームをＣＳＩ測定から省く。
【００６３】
［００７６］
第８の例示的な実施形態において、ＵＥ４０６は、ＣＳＩ基準サブフレームの好ましい数をさまざまな方法で解釈してもよい。上記で説明したように、図６は、第１の解釈を図示している。以下に説明するように、図１０Ａは、第２の解釈を図示し、図１０Ｂは、第３の解釈を図示している。
【００６４】
［００７７］
図１０Ａは、２つのＮＢ周波数からのサブフレームがＣＳＩ周波数測定を実行する際に使用されるＮＢ周波数ホッピングを図示したダイヤグラム１０００である。図１０Ａにおいて、各狭帯域の数
【数４】
2019516286.tif 000006
それぞれの中からのＣＳＩ基準サブフレームの好ましい数の一部分を使用して、ＣＳＩ測定が実行されるように、ＣＳＩ基準サブフレーム１００４ａ、１００４ｂの好ましい数（例えば、Ｒ＿ＣＳＩ最大＝４）は、ＵＥ４０６によって解釈されてもよく、図１０Ａ中に図示している例では、
【数５】
2019516286.tif 000007
は、２と等しい。言い換えると、ＵＥ４０６は、ＮＢ１とＮＢ２のそれぞれに渡るサブフレームを使用して、ＣＳＩを測定する。
【００６５】
［００７８］
例えば、ＵＥ４０６は、ＮＢ１上のＣＳＩ基準サブフレーム１００４ａの第１のセットを決定することと、ＮＢ２上のＣＳＩ基準サブフレーム１００４ｂの第２のセットを決定することとによって、ＮＢ１とＮＢ２に渡るＣＳＩ測定を実行してもよい。言い換えると、ＣＳＩ測定は、ＣＳＩ基準サブフレーム１００４ａの第１のセットとＣＳＩ基準サブフレーム１００４ｂの第２のセットとを使用して、実行してもよい。
【００６６】
［００７９］
ある態様において、ＣＳＩ基準サブフレーム１００４ａ、１００４ｂ中の各サブフレームは、ダウンリンクサブフレームまたは特殊サブフレームであってもよく、ＵＥ４０６によって測定される最初のサブフレームは、サブフレームｎであり、ＵＥ４０６によって測定される最後のサブフレームは、サブフレームｎ−ｎＣＱＩ＿ｒｅｆである。周期的および／または非周期的ＣＳＩレポーティングに対して、ｎＣＱＩ＿ｒｅｆは、４より大きくてもよく、または、４と等しくてもよい。
【００６７】
［００８０］
さらなる態様において、ＣＳＩ基準サブフレーム１００４ａの第１のセットと、ＣＳＩ基準サブフレーム１００４ｂの第２のセットは、それぞれＭ個の基準サブフレームを備えている。例えば、Ｍは、ＵＥ４０６がＰＤＣＣＨを監視する狭帯域の数
【数６】
2019516286.tif 000008
で割ったサブフレームｎ−ｎＣＱＩ＿ｒｅｆの前に測定される最後のＣＳＩ基準サブフレーム（ＲＣＳＩ）の数と等しくてもよい。さらに、ＵＥ４０６は、ＮＢ１とＮＢ２に渡って行われるＣＳＩ測定に関係付けられている広帯域ＣＳＩレポートを送信してもよい４２０。
【００６８】
［００８１］
図１０Ａ中に示している例では、Ｒ＿ＣＳＩ最大は、ＮＢ１とＮＢ２との間で分割されてもよい。例えば、２つの狭帯域があり、Ｒ＿ＣＳＩ最大＝４であることから、各狭帯域は、ＣＳＩ測定のために使用される２つのサブフレームをそれぞれが有していてもよい。ここで、広帯域に対するＣＱＩ測定は、式４を使用して以下に示すように取得されてもよい。
【数７】
2019516286.tif 000009
【００６９】
［００８２］
狭帯域に対する２つのＣＳＩ測定は、式５および６において以下に示すように、ＰＤＳＣＨに対する４つの反復の基準を満たすようにスケーリングされてもよい。
【数８】
2019516286.tif 000010
【数９】
2019516286.tif 000011
【００７０】
［００８３］
図１０Ｂは、２つのＮＢ周波数からのサブフレームがＣＳＩ周波数測定を実行する際に使用されてもよいＮＢ周波数ホッピングを図示したダイヤグラム１０１０である。図１０Ｂにおいて、ＮＢ２中ではなくＮＢ１中のＣＳＩ基準サブフレームの好ましい数を使用して、ＣＳＩ測定が実行される（例えば、測定は、サブフレームの好ましい数に対応する最後の有効なサブフレームを使用して実行される）ように、ＣＳＩ基準サブフレーム１００４の好ましい数（例えば、Ｒ＿ＣＳＩ最大＝４）は、ＵＥ４０６によって解釈されてもよい。言い換えると、ＵＥ４０６は、ＮＢ１中の４つのサブフレームを使用してＣＳＩを測定し、ＮＢ２中の任意のサブフレームに対してＣＳＩを測定しない。
【００７１】
［００８４］
図１０Ｂ中に図示している例では、広帯域および狭帯域ＣＳＩのためのＣＱＩ測定に対して使用されるスペクトル効率は、同じであってもよい。ＣＳＩ測定は、式７で以下に示すように、最後に受信される４つのサブフレーム（例えば、サブフレーム１、サブフレーム２、サブフレーム３、サブフレーム４）中のスペクトル効率を合計することにより決定してもよい。
【数１０】
2019516286.tif 000012
【００７２】
［００８５］
図１１Ａおよび１１Ｂは、ワイヤレス通信の方法のフローチャート１１００である。方法は、ｅＮＢ（例えば、ｅＮＢ１０２、３１０、４０４、１３５０）と通信するＵＥ（例えば、ＵＥ１０４、３５０、４０６、装置１３０２／１３０２’）によって実行されてもよい。破線で示されている動作は、本開示のさまざまな態様に対するオプション的な動作を表す。
【００７３】
［００８６］
図１１Ａ中に示すように、１１０２において、ＵＥは、狭帯域通信においてＣＳＩ測定を実行する際に使用するために、ＣＳＩ基準サブフレームの好ましい数に関係付けられている情報を受信してもよい。ある態様では、狭帯域通信は、ｅＭＴＣまたはＮＢ−ＩｏＴ通信であってもよい。例えば、図４を参照すると、ｅＮＢ４０４は、ｅＮＢ４０４とのｅＭＴＣのためにＣＳＩ測定を実行する際にＵＥ４０６が使用するために、ＣＳＩ基準サブフレームの好ましい数に関係付けられている情報４１０を送信してもよい。例えば、ＣＳＩ基準サブフレームの好ましい数に関係付けられている情報４１０は、Ｒ＿ＣＳＩ最大として示されてもよい。
【００７４】
［００８７］
１１０４において、ＵＥは、ＰＤＣＣＨが受信される少なくとも１つの周波数上のサブフレームの第１のセットを監視してもよい。例えば、図４を参照すると、ＵＥ４０６は、ＰＤＣＣＨがｅＮＢ４０４から受信される少なくとも１つの周波数上のサブフレームのセット４０５を監視してもよい。
【００７５】
［００８８］
１１０６において、ＵＥは、第１の周波数帯域または第２の周波数帯域のうちの１つ中で受信されるＰＤＳＣＨを監視してもよい。例えば、図８は、ＰＤＣＣＨが受信される２つの異なる周波数（例えば、ＮＢ１とＮＢ２）上のサブフレーム８０２を図示している。さらに、図８は、ＰＤＳＣＨが受信される第３の周波数（例えば、ＮＢ３）を図示している。
【００７６】
［００８９］
１１０８において、ＵＥは、ＣＳＩレポート中に含まれてもよい、サブフレームに対する最大サブフレームエイジに関係付けられている情報を受信してもよい。例えば、図４を参照すると、ＵＥ４０６は、ＣＳＩレポート中に含まれてもよい、サブフレームに対する最大サブフレームエイジ（例えば、Ｒ＿最大＿遅延）に関係付けられている情報を受信してもよい。
【００７７】
［００９０］
図１１Ｂ中に示すように、１１１０では、ＵＥは、サブフレームの第１のセットの少なくとも一部分をＣＳＩ基準サブフレームとして使用して、第１のＣＳＩ測定を実行してもよい。例えば、図６を参照すると、ＵＥ４０６は、ＮＢ１上のサブフレームのセットの一部分とＮＢ２上のサブフレームのセットの一部分の両方をＣＳＩ基準サブフレーム６０４として使用して、ＣＳＩ測定を実行してもよい。図６中に示している例では、ＮＢ１とＮＢ２のそれぞれにおいて観察される最後のＲ＿ＣＳＩ最大（例えば、Ｒ＿ＣＳＩ最大＝４）が、ＣＳＩ基準サブフレーム６０４として使用される。
【００７８】
［００９１］
１１１２において、ＣＳＩ基準サブフレームとして使用されるサブフレームの数がＣＳＩ基準サブフレームの好ましい数より少ないとき、ＵＥは、スケーリングファクターをＣＳＩ測定に適用することにより、第１のＣＳＩ測定を発生させてもよい。例えば、図４を参照すると、ＵＥ４０６は、スケーリングファクターをＣＳＩ測定に適用することにより、ＣＳＩ測定を計算してもよい。スケーリングファクターは、ＣＳＩ基準サブフレームの好ましい数に比例していてもよい。例えば、ＣＳＩ測定を実行するために使用されるサブフレームの数がＲ＿ＣＳＩ最大より少ないとき、Ｒ＿ＣＳＩ最大は、スペクトル効率推定に対するスケーリング値を発生させるために使用される。ここで、サブフレームのセットへのＣＳＩ基準リソースのマッピングはないかもしれない。さらに、古くなったＣＳＩ測定をどのように取り扱うかを決定することは、ＵＥインプリメンテーションに委ねられてもよい。追加的におよび代替的に、ＵＥ４０６は、平均スペクトル効率４０５を計算することと、スケーリングファクターを平均スペクトル効率に適用することとにより、ＣＳＩ測定を実行してもよい。例えば、平均スペクトル効率は、重み付けられた平均、指数平均、または、別のタイプの平均のうちの少なくとも１つを含んでいてもよい。
【００７９】
［００９２］
サブフレームの第１のセットが、第１の周波数帯域上のサブフレームの第２のセットと、第２の周波数帯域上のサブフレームの第３のセットとを含むとき、１１１４において、ＵＥは、第１の周波数帯域上のサブフレームの第２のセットの少なくとも一部分をＣＳＩ基準サブフレームとして使用して、第２のＣＳＩ測定を実行することにより、ＣＳＩ測定を実行してもよい。例えば、図６を参照すると、ＵＥ４０６は、ＮＢ１上のサブフレームのセットの一部分とＮＢ２上のサブフレームのセットの一部分との両方をＣＳＩ基準サブフレーム６０４として使用して、ＣＳＩ測定を実行してもよい。図６中に示している例では、ＮＢ１とＮＢ２のそれぞれにおいて観察される最後のＲ＿ＣＳＩ最大（例えば、Ｒ＿ＣＳＩ最大＝４）は、ＣＳＩ基準サブフレーム６０４として使用される。
【００８０】
［００９３］
サブフレームの第１のセットが、第１の周波数帯域上のサブフレームの第２のセットと第２の周波数帯域上のサブフレームの第３のセットとを含むとき、１１１６において、ＵＥは、第２の周波数帯域上のサブフレームの第３のセットの少なくとも一部分をＣＳＩ基準サブフレームとして使用して、第３のＣＳＩ測定を実行することにより、ＣＳＩ測定を実行してもよい。例えば、図６を参照すると、ＮＢ１とＮＢ２のそれぞれにおいて観察される最後のＲ＿ＣＳＩ最大（例えば、Ｒ＿ＣＳＩ最大＝４）は、ＣＳＩ基準サブフレーム６０４として使用される。
【００８１】
［００９４］
１１１８において、ＵＥは、ＰＤＳＣＨサブフレームのセットの少なくとも一部分をＣＳＩ基準サブフレームとして使用して、第４のＣＳＩ測定を実行することにより、ＣＳＩ測定を実行してもよい。例えば、図４を参照すると、ＵＥ４０６は、第１の周波数帯域または第２の周波数帯域のうちの１つにおいて受信されるＰＤＳＣＨを監視してもよい。ここで、ＰＤＳＣＨサブフレームがＰＤＣＣＨサブフレームと同じ周波数帯域中で受信されるとき、ＵＥ４０６は、ＰＤＳＣＨサブフレームのセットの少なくとも一部分をＣＳＩ基準サブフレームとして使用して、ＣＳＩ測定４０５を実行してもよい。
【００８２】
［００９５］
１１２０において、ＵＥは、ＣＳＩ基準サブフレームとして使用されるサブフレームの第１のセット中の、最大サブフレームエイジを超える任意のサブフレームを、ＣＳＩレポートから除外することによって、ＣＳＩ測定を実行してもよい。例えば、図９を参照すると、ＵＥ４０６は、ＭＢＳＦＮサブフレーム９０６を含まず、古いもの（例えば、Ｒ＿最大＿遅延より古い）ではない、ＮＢ１とＮＢ２のそれぞれにおいて観察される最後のＲ＿ＣＳＩ最大（例えば、Ｒ＿ＣＳＩ最大＝４）を使用して、ＣＳＩ測定を実行してもよい。例えば、ＮＢ１に関して、Ｒ＿ＣＳＩ最大は、最後の３つのサブフレーム９０２と最後から５番目のサブフレーム９０２とを含む（例えば、ＭＢＳＦＮサブフレーム９０６である最後のサブフレームを省く）。ＮＢ２に関して、Ｒ＿ＣＳＩ最大は、最後のサブフレームに隣接する４つのサブフレーム９０２を含む（例えば、ＭＢＳＦＮサブフレーム９０６である最後のサブフレームを省く）。しかしながら、Ｒ＿ＣＳＩ最大中の最後の２つのサブフレーム９１０は、Ｒ＿最大＿遅延よりも古いことから、ＵＥ４０６は、ＣＳＩ測定からこれら２つのＣＳＩ基準サブフレームを省く。
【００８３】
［００９６］
１１２２において、ＵＥは、ＣＳＩレポートから除外されたサブフレームの数に比例するスケーリングファクターを、第１のＣＳＩ測定に適用することにより、ＣＳＩ測定を実行してもよい。例えば、図４を参照すると、ＵＥ４０６は、ＣＳＩレポートから除外されたサブフレームの数に比例するスケーリングファクター４０５を適用することにより、ＣＳＩ測定を実行してもよい。
【００８４】
［００９７］
１１２４において、ＵＥは、平均スペクトル効率を計算してもよい。例えば、図４を参照すると、ＵＥ４０６は、平均スペクトル効率４０５を計算することと、スケーリングファクターを平均スペクトル効率に適用することとによって、ＣＳＩ測定を実行してもよい。例えば、平均スペクトル効率は、重み付けられた平均、指数平均、または、別のタイプの平均のうちの少なくとも１つを含んでいてもよい。
【００８５】
［００９８］
１１２６において、ＵＥは、スケーリングファクターを平均スペクトル効率に適用してもよく、スケーリングファクターは、ＣＳＩ基準サブフレームの好ましい数に関連している。例えば、図４を参照すると、ＵＥ４０６は、平均スペクトル効率４０５を計算することと、スケーリングファクターを平均スペクトル効率に適用することとによって、ＣＳＩ測定を実行してもよい。例えば、平均スペクトル効率は、重み付けられた平均、指数平均、または、別のタイプの平均のうちの少なくとも１つを含んでいてもよい。
【００８６】
［００９９］
１１２８において、ＵＥは、ＣＳＩレポートを基地局に送信してもよい。例えば、図４を参照すると、ＣＳＩ測定は、ＣＳＩレポート４２０においてｅＮＢ４０４に送信されてもよい。
【００８７】
［０１００］
図１２は、ワイヤレス通信の方法のフローチャート１２００である。方法は、ｅＮＢ（例えば、ｅＮＢ１０２、３１０、４０４、１３５０）と通信するＵＥ（例えば、ＵＥ１０４、３５０、４０６、装置１３０２／１３０２’）によって実行されてもよい。破線で示す動作は、本開示のさまざまな態様に対するオプション的な動作を表す。
【００８８】
［００１０１］
１２０２において、ＵＥは、狭帯域通信においてＣＳＩ測定を実行する際に使用するために、ＣＳＩ基準サブフレームの数に関係付けられている情報を受信してもよい。ある態様では、各ＣＳＩ基準サブフレームは、ダウンリンクサブフレームまたは特殊サブフレームであってもよい。別の態様では、周期的ＣＳＩレポーティングまたは非周期的ＣＳＩレポーティングに対して、ＣＳＩ基準サブフレームの数は、４より大きくてもよく、または、４と等しくてもよい。狭帯域通信は、ｅＭＴＣまたはＮＢ−ＩｏＴ通信であってもよい。例えば、図４を参照すると、ｅＮＢ４０４は、ｅＮＢ４０４とのｅＭＴＣのためにＣＳＩ測定を実行する際にＵＥ４０６が使用するために、ＣＳＩ基準サブフレームの好ましい数に関係付けられている情報４１０を送信してもよい。例えば、ＣＳＩ基準サブフレームの好ましい数に関係付けられている情報４１０はＲ＿ＣＳＩ最大として示されてもよい。
【００８９】
［００１０２］
１２０４において、ＵＥは、少なくとも２つの周波数チャネル上のサブフレームを監視してもよい。ある態様では、少なくとも２つの周波数チャネルのそれぞれは、ＰＤＣＣＨを含んでいてもよい。例えば、図４を参照すると、ＵＥ４０６は、ＰＤＣＣＨがｅＮＢ４０４から受信される少なくとも１つの周波数上のサブフレームのセット４０５を監視してもよい。
【００９０】
［００１０３］
１２０６において、ＵＥは、ＣＳＩ基準サブフレームの数に関係付けられている情報に基づいて、少なくとも２つの周波数チャネルに渡るＣＳＩ測定を実行してもよい。例えば、図６および１０Ａを参照すると、ＵＥ４０６は、ＮＢ１上のＣＳＩ基準サブフレームの第１のセット１００４ａを決定することと、ＮＢ２上のＣＳＩ基準サブフレームの第２のセット１００４ｂを決定することととによって、ＮＢ１とＮＢ２に渡るＣＳＩ測定を実行してもよい。言い換えると、ＣＳＩ測定は、ＣＳＩ基準サブフレームの第１のセット１００４ａとＣＳＩ基準サブフレームの第２のセット１００４ｂとを使用して実行してもよい。
【００９１】
［００１０４］
１２０８において、少なくとも２つの周波数チャネルのうちの第１の周波数チャネル上のＣＳＩ基準サブフレームの第１のセットを決定することによって、ＵＥはＣＳＩ測定を実行してもよい。ある態様では、ＣＳＩ基準サブフレームの第１のセットは、Ｍ個の基準サブフレームを含んでいてもよい。別の態様では、Ｍは、少なくとも２つの周波数チャネルの数で割ったＣＳＩ基準サブフレームの数と等しくてもよい。別の態様では、ＣＳＩ基準サブフレームの第１のセットは、Ｎ個の基準サブフレームを含んでいてもよい。別の態様では、Ｎは、ＣＳＩ基準サブフレームの数と等しくてもよい。例えば、図６を参照すると、ＣＳＩ基準サブフレームの第１のセット１００４ａとＣＳＩ基準サブフレームの第２のセット１００４ｂは、それぞれＮ個の基準サブフレームを備えている。例えば、Ｎは、ＵＥ４０６がＰＤＣＣＨを監視する狭帯域のそれぞれ上のサブフレームｎ−ｎＣＱＩ＿ｒｅｆの前に測定される最後のＣＳＩ基準サブフレーム（ＲＣＳＩ）の数と等しくてもよい。さらに図１０Ａを参照すると、ＣＳＩ基準サブフレームの第１のセット１００４ａとＣＳＩ基準サブフレームの第２のセット１００４ｂは、それぞれＭ個の基準サブフレームを備えている。例えば、Ｍは、ＵＥ４０６がＰＤＣＣＨを監視する狭帯域の数
【数１１】
2019516286.tif 000013
で割ったサブフレームｎ−ｎＣＱＩ＿ｒｅｆ前に測定される最後のＣＳＩ基準サブフレーム（ＲＣＳＩ）の数と等しくてもよい。
【００９２】
［００１０５］
１２１０では、少なくとも２つの周波数チャネルのうちの第２の周波数チャネル上のＣＳＩ基準サブフレームの第２のセットを決定することによって、ＵＥはＣＳＩ測定を実行してもよい。ある態様では、第１の周波数チャネルは、第２の周波数チャネルと異なっていてもよい。ある態様では、ＣＳＩ基準サブフレームの第２のセットは、Ｎ個の基準サブフレームを含んでいてもよい。別の態様では、Ｎは、ＣＳＩ基準サブフレームの数と等しくてもよい。さらなる態様では、ＣＳＩ基準サブフレームの第１のセット中の基準サブフレームの数は、ＣＳＩ基準サブフレームの第２のセット中の基準サブフレームの数と等しい。例えば、図６を参照すると、ＣＳＩ基準サブフレームの第１のセット１００４ａとＣＳＩ基準サブフレームの第２のセット１００４ｂは、それぞれＮ個の基準サブフレームを備えている。例えば、Ｎは、ＵＥ４０６がＰＤＣＣＨを監視する狭帯域のそれぞれ上のサブフレームｎ−ｎＣＱＩ＿ｒｅｆの前に測定される最後のＣＳＩ基準サブフレーム（ＲＣＳＩ）の数と等しくてもよい。さらに図１０Ａを参照すると、ＣＳＩ基準サブフレームの第１のセット１００４ａとＣＳＩ基準サブフレームの第２のセット１００４ｂは、それぞれ、Ｍ個の基準サブフレームを備えている。例えば、Ｍは、ＵＥ４０６がＰＤＣＣＨを監視する狭帯域の数
【数１２】
2019516286.tif 000014
で割ったサブフレームｎ−ｎＣＱＩ＿ｒｅｆ前に測定される最後のＣＳＩ基準サブフレーム（ＲＣＳＩ）の数と等しくてもよい。
【００９３】
［００１０６］
１２１２では、ＵＥは、ＣＳＩ基準サブフレームの第１のセットとＣＳＩ基準サブフレームの第２のセットとに基づいて、少なくとも２つの周波数チャネルに渡るＣＳＩ測定を実行してもよい。例えば、図６を参照すると、ＵＥ４０６は、セットにおいて、ＣＳＩ基準サブフレーム６０４ａ、６０４ｂに渡るＳＥ平均化を実行してもよい。類似して、副帯域選択を実行するとき、ＵＥ４０６は、ＮＢ１を好ましい狭帯域としてレポートしてもよい。言い換えると、ＵＥ４０６は、狭帯域のそれぞれにおけるＣＳＩ基準サブフレーム６０４ａ、６４０ｂに渡るＳＥを平均化することにより、ＣＳＩ測定を実行してもよい。例えば、広帯域ＣＳＩ測定は、式１において上記で示したように、増加したサブフレームの数を補償するための正規化により、８個の観察されたサブフレームに基づいていてもよい。一方で、狭帯域ＣＱＩ測定は、上記に示した式２および３を使用して決定してもよい。さらに図１０Ａを参照すると、Ｒ＿ＣＳＩ最大は、ＮＢ１とＮＢ２との間で分割されてもよい。例えば、２つの狭帯域があり、Ｒ＿ＣＳＩ最大＝４であることから、各狭帯域は、図１０Ａ中で描いたように、ＣＳＩを測定するために使用される２つのサブフレームをそれぞれ有していてもよい。ここで、広帯域に対するＣＱＩ測定は、図４を使用して上記で示したように取得されてもよい。狭帯域に対する２つのＣＳＩ測定は、式５および６において上記で示したように、ＰＤＳＣＨに対する４つの反復の基準を満たすようにスケーリングしてもよい。
【００９４】
［００１０７］
１２１４において、ＵＥは、広帯域ＣＳＩレポートまたは狭帯域ＣＳＩレポートを送信してもよい。例えば、図４を参照すると、ＣＳＩ測定は、ＣＳＩレポート４２０中で、ｅＮＢ４０４に送信されてもよい。図１０Ａ中では、広帯域に対するＣＱＩ測定は、式４を使用して上記で示したように取得されてもよい。狭帯域に対する２つのＣＳＩ測定は、式５および６において上記で示したように、ＰＤＳＣＨに対する４つの反復の基準を満たすようにスケーリングしてもよい。
【００９５】
［００１０８］
図１３は、例示的な装置１３０２における異なる手段／コンポーネント間のデータフローを図示する概念的なデータフローダイヤグラム１３００である。装置は、ＵＥ（例えば、ＵＥ７１０４、３５０、４０６）であってもよい。受信コンポーネント１３０４は、基地局１３５０からのＣＳＩレポート中に含まれる、ＣＳＩ基準リソースサブフレームの好ましい数、ＰＤＣＣＨ、ＰＤＳＣＨ、および／または、最大サブフレームエイジのうちの１つ以上に関係付けられている情報１３０１を受信してもよい。受信コンポーネント１３０４は、ＰＤＣＣＨおよび／またはＰＤＳＣＨに関係付けられている情報１３０３を監視コンポーネント１３０６に送ってもよい。さらに、受信コンポーネント１３０４は、ＣＳＩレポート中に含まれることになる、ＣＳＩ基準リソースサブフレームの数および／または最大サブフレームエイジに関係付けられている情報１３０５をＣＳＩ測定コンポーネント１３０８に送ってもよい。監視コンポーネント１３０６は、ＰＤＣＣＨおよび／またはＰＤＳＣＨに関係付けられている少なくとも２つの周波数チャネル上のサブフレームを監視してもよい。監視コンポーネント１３０６はＰＤＣＣＨおよび／またはＰＤＳＣＨに関係付けられている情報１３０７をＣＳＩ測定コンポーネント１３０８に送ってもよい。ＣＳＩ測定コンポーネント１３０８は、ＰＤＣＣＨおよび／またはＰＤＳＣＨ中のＣＳＩ基準リソースのＣＳＩ測定を実行してもよい。例えば、ＣＳＩ測定コンポーネント１３０８は、第１の周波数チャネル上のＣＳＩ基準サブフレームの第１のセットを決定することによって、ＣＳＩ測定を実行してもよい。さらに、ＣＳＩ測定コンポーネント１３０８は、第２の周波数チャネル上のＣＳＩ基準サブフレームの第２のセットを決定することによって、ＣＳＩ測定を実行してもよい。ある態様では、ＣＳＩ基準サブフレームの第１セットは、Ｍ個の基準サブフレームを含んでいてもよい。別の態様では、Ｍは、周波数チャネルの数で割ったＣＳＩ基準サブフレームの数と等しくてもよい。さらなる態様では、ＣＳＩ基準サブフレームの第１のセット中の基準サブフレームの数は、ＣＳＩ基準サブフレームの第２のセット中の基準サブフレームの数と等しくてもよい。またさらに、ＣＳＩ基準サブフレームの第１のセットとＣＳＩ基準サブフレームの第２のセットは、Ｎ個の基準サブ
フレームを含んでいてもよい。別の態様では、Ｎは、ＣＳＩ基準サブフレームの数と等しくてもよい。さらに、ＣＳＩ測定コンポーネント１３０８は、ＣＳＩ基準サブフレームの第１のセットとＣＳＩ基準サブフレームの第２のセットとに基づいて、少なくとも２つの周波数チャネルに渡るＣＳＩ測定を実行してもよい。さらに、ＣＳＩ測定コンポーネント１３０８は、エイジアウトしたサブフレームに関係付けられている情報１３０９を除外コンポーネント１３１２に、ＣＳＩ測定に関係付けられている情報１３１１を計算コンポーネント１３１４に、ＣＳＩ基準リソースサブフレームのスペクトル効率に関係付けられている情報１３１５を計算コンポーネント１３１４に、および／または、ＣＳＩ測定に関係付けられている情報１３１９をＣＳＩレポートコンポーネント１３１６に送ってもよい。計算コンポーネント１３１４は、スペクトル効率をＣＳＩ測定の一部として計算してもよい。計算コンポーネント１３１４は、スペクトル効率に関係付けられている情報１３１７をスケーリングファクターコンポーネント１３１０に送ってもよい。除外コンポーネント１３１２は、最大エイジより古いサブフレームをＣＳＩ測定から除外してもよい。除外コンポーネント１３１２は、エイジアウトしたサブフレームに関係付けられている情報１３１３をスケーリングファクターコンポーネント１３１０に送ってもよい。スケーリングファクターコンポーネント１３１０は、（例えば、スペクトル効率および／またはエイジアウトしたサブフレームのうちの１つ以上に基づいて）スケーリングファクターをＣＳＩ測定に適用してもよい。スケーリングファクターコンポーネント１３１０は、スケーリングファクターを含むＣＳＩ測定に関係付けられている情報１３２１をＣＳＩレポートコンポーネント１３１６に送ってもよい。ＣＳＩレポートコンポーネント１３１６は、ＣＳＩ測定コンポーネント１３０８および／またはスケーリングファクターコンポーネント１３１０のうちの１つ以上から受け取った情報１３１９、１３２１に基づいて、狭帯域および／または広帯域のＣＳＩレポートを発生させてもよい。ＣＳＩレポートコンポーネント１３１６は、ＣＳＩレポートに関係付けられている情報１３２３を送信コンポーネント１３１８に送ってもよい。送信コンポーネント１３１８は、狭帯域および／または広帯域のＣＳ
Ｉレポートに関係付けられている情報１３２５を基地局１３５０に送信してもよい。
【００９６】
［００１０９］
装置は、図１１Ａ、１１Ｂ、および、１２の前述のフローチャー中のアルゴリズムのブロックのそれぞれと、図５〜１０に関連して説明した態様とを実行する追加のコンポーネントを含んでいてもよい。このようなことから、図１１Ａ、１１Ｂ、および、１２の前述のフローチャート中の各ブロックは、コンポーネントによって実行されてもよく、装置はこれらのコンポーネントのうちの１つ以上を含んでいてもよい。コンポーネントは、説明したプロセス／アルゴリズムを実行するように特に構成され、プロセッサによるインプリメンテーションのためにコンピュータ読取可能媒体内に記憶された、説明したプロセス／アルゴリズムを実行するように構成されたプロセッサによって実現される、１つ以上のハードウェアコンポーネント、または、これらの何らかの組み合わせであってもよい。
【００９７】
［００１１０］
図１４は、処理システム１４１４を用いる装置１３０２’のためのハードウェアインプリメンテーションの例を図示するダイヤグラム１４００である。処理システム１４１４は、バス１４２４により一般的に表される、バスアーキテクチャにより実現してもよい。バス１４２４は、処理システム１４１４の特定のアプリケーションと全体的な設計制約とに依存して、任意の数の相互接続バスおよびブリッジを含んでいてもよい。バス１４２４は、プロセッサ１４０４、コンポーネント１３０４、１３０６、１３０８、１３１０、１３１２、１３１４、１３１６、１３１８によって表される、１つ以上のプロセッサおよび／またはハードウェアコンポーネントと、コンピュータ読取可能媒体／メモリ１４０６とを含むさまざま回路を互いにリンクする。バス１４２４はまた、タイミングソース、周辺機器、電圧レギュレータ、および電力管理回路のような、他のさまざまな回路をリンクさせてもよく、これらは、技術的によく知られており、したがって、これ以上は説明しない。
【００９８】
［００１１１］
処理システム１４１４は、トランシーバ１４１０に結合されていてもよい。トランシーバ１４１０は、１つ以上のアンテナ１４２０に結合されている。トランシーバ１４１０は、送信媒体を通して他のさまざまな装置と通信する手段を提供する。トランシーバ１４１０は、１つ以上のアンテナ１４２０から信号を受け取り、受け取った信号から情報を抽出し、抽出した情報を処理システム１４１４、具体的には受信コンポーネント１３０４に提供する。加えて、トランシーバ１４１０は、処理システム１４１４、具体的には送信コンポーネント１３１８から情報を受け取り、受け取った情報に基づいて、１つ以上のアンテナ１４２０に適用される信号を発生させる。処理システム１４１４は、コンピュータ読取可能媒体／メモリ１４０６に結合されているプロセッサ１４０４を含む。プロセッサ１４０４は、コンピュータ読取可能媒体／メモリ１４０６上に記憶されているソフトウェアの実行を含む、一般的な処理を担う。ソフトウェアは、プロセッサ１４０４によって実行されるときに、処理システム１４１４に、任意の特定の装置に関して上記で説明したさまざまな機能を実行させる。コンピュータ読取可能媒体／メモリ１４０６はまた、ソフトウェアを実行するときに、プロセッサ１４０４によって操作されるデータを記憶するために使用してもよい。処理システム１４１４は、コンポーネント１３０４、１３０６、１３０８、１３１０、１３１２、１３１４、１３１６、１３１８のうちの少なくとも１つをさらに含む。コンポーネントは、コンピュータ読取可能媒体／メモリ１４０６中に常駐／記憶され、プロセッサ１４０４において実行される、ソフトウェアコンポーネント、プロセッサ１４０４に結合されている１つ以上のハードウェアコンポーネント、または、これらの何らかの組み合わせであってもよい。処理システム１４１４は、ＵＥ３５０のコンポーネントであってもよく、メモリ３６０、および／または、ＴＸプロセッサ３６８、ＲＸプロセッサ３５６、および制御装置／プロセッサ３５９のうちの少なくとも１つを含んでいてもよい。
【００９９】
［００１１２］
１つのコンフィギュレーションでは、ワイヤレス通信のための装置１３０２／１３０２’は、狭帯域通信においてＣＳＩ測定を実行するために使用するために、ＣＳＩ基準サブフレームの数に関係付けられている情報を受信する手段を含んでいてもよい。１つの態様では、各ＣＳＩ基準サブフレームは、ダウンリンクサブフレームまたは特殊サブフレームであってもよい。別の態様では、周期的ＣＳＩレポーティングまたは非周期的ＣＳＩレポーティングに対して、ＣＳＩ基準サブフレームの数は、４より大きくてもよく、または、４と等しくてもよい。ＮＢ通信は、ｅＭＴＣまたはＮＢ−ＩｏＴ通信であってもよい。別のコンフィギュレーションでは、ワイヤレス通信のための装置１３０２／１３０２’は、少なくとも２つの周波数チャネル上のサブフレームを監視する手段を含んでいてもよい。ある態様では、少なくとも２つの周波数チャネルのそれぞれは、ＰＤＣＣＨを含んでいてもよい。さらさらなるコンフィギュレーションでは、ワイヤレス通信のための装置１３０２／１３０２’は、ＣＳＩ基準サブフレームの数に関係付けられている情報に基づいて、少なくとも２つの周波数チャネルに渡るＣＳＩ測定を実行する手段を含んでいてもよい。１つの態様では、少なくとも２つの周波数チャネルに渡るＣＳＩ測定を実行する手段は、少なくとも２つの周波数チャネルのうちの第１の周波数チャネル上のＣＳＩ基準サブフレームの第１のセットを決定するように構成されていてもよい。別の態様では、少なくとも２つの周波数チャネルに渡るＣＳＩ測定を実行する手段は、少なくとも２つの周波数チャネルのうちの第２の周波数チャネル上のＣＳＩ基準サブフレームの第２のセットを決定するように構成されていてもよい。１つの態様では、第１の周波数帯域は、第２の周波数帯域と異なっていてもよい。別の態様では、ＣＳＩ基準サブフレームの第１のセットは、Ｍ個の基準サブフレームを含んでいてもよい。さらに、Ｍは、少なくとも２つの周波数チャネルの数で割ったＣＳＩ基準サブフレームの数と等しくてもよい。別の態様では、ＣＳＩ基準サブフレームの第１のセット中の基準サブフレームの数は、ＣＳＩ基準サブフレームの第２のセット中の基準サブフレームの数と等しくてもよい。さらなる態様において、ＣＳＩ基準サブフレームの第１のセットとＣＳＩ基準サブフレームの第２のセットは、Ｎ個
の基準サブフレームを含んでいてもよい。１つの態様では、Ｎは、ＣＳＩ基準サブフレームの数と等しくてもよい。別の態様では、少なくとも２つの周波数チャネルに渡るＣＳＩ測定を実行する手段は、ＣＳＩ基準サブフレームの第１のセットとＣＳＩ基準サブフレームの第２のセットとに基づいて、少なくとも２つの周波数チャネルに渡るＣＳＩ測定を実行するように構成されていてもよい。さらなるコンフィギュレーションでは、ワイヤレス通信のための装置１３０２／１３０２’は、ＣＳＩ測定に関係付けられている広帯域ＣＳＩレポートを送信する手段を含んでいてもよい。前述の手段は、前述の手段によって規定される機能を実行するように構成されている、装置１３０２’の処理システム１４１４および／または装置１３０２の前述のコンポーネントのうちの１つ以上であってもよい。上記に説明したように、処理システム１４１４は、ＴＸプロセッサ３６８、ＲＸプロセッサ３５６、および制御装置／プロセッサ３５９を含んでいてもよい。このようなことから、１つのコンフィギュレーションにおいて、前述の手段は、前述の手段によって規定される機能を実行するように構成されているＴＸプロセッサ３６８、ＲＸプロセッサ３５６、および制御装置／プロセッサ３５９であってもよい。
【０１００】
［００１１３］
開示されるプロセス／フローチャートにおけるブロックの特定の順序または階層は例示的なアプローチの実例であることが理解される。設計の選好に基づいて、プロセス／フローチャートにおけるブロックの特定の順序または階層は再構成してもよいことが理解される。さらに、いくつかのブロックは、組み合わせてもよく、または、省略してもよい。添付の方法の特許請求の範囲は、サンプル順序でさまざまなブロックの要素を提示しているが、提示されている特定の順序または階層に限定されることを意味するものではない。
【０１０１】
［００１１４］
先の説明は、当業者がここで説明したさまざまな態様を実施できるようにするために提供している。これらの態様へのさまざまな修正は、当業者にとって容易に明らかとなり、ここで規定した包括的な原理を他の態様に適用してもよい。したがって、ここで示した態様に限定されることを特許請求の範囲は意図しておらず、しかしながら、特許請求の範囲の文言と一致するすべての範囲が与えられるべきであり、単数形での要素への参照は、特にそのように述べられていない限り「１つおよび１つのみ」を意味するように意図されず、むしろ「１つ以上の」を意味するように意図されている。ワード「例示的な」は、「例、事例、または例示として役割を果たすこと」を意味するようにここで使用される。「例示的」として、ここで説明するいずれの態様も、他の態様と比較して、必ずしも好ましいものとして、または、有利なものとして解釈すべきではない。特にそうではないことが述べられていない限り、用語「いくつかの」は１つ以上を指す。「Ａ、Ｂ、またはＣのうちの少なくとも１つ」、「Ａ、Ｂ、またはＣのうちの１つ以上」、「Ａ、Ｂ、およびＣのうちの少なくとも１つ」、「Ａ、Ｂ、およびＣのうちの１つ以上」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含むことができる。特に、「Ａ、Ｂ、またはＣのうちの少なくとも１つ」、「Ａ、Ｂ、またはＣのうちの１つ以上」、「Ａ、Ｂ、およびＣのうちの少なくとも１つ」、「Ａ、Ｂ、およびＣのうちの１つ以上」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであることができ、ここで、任意のこのような組み合わせは、Ａ、Ｂ、またはＣのうちの１つ以上のメンバーを含むことができる。当業者に知られている、あるいは後に知られることになる本開示全体に渡って説明されているさまざまな態様の要素に対するすべての構造的および機能的な均等物は、参照によってここに明確に組み込まれ、特許請求の範囲によって包含されるように意図されている。さらに、ここで開示したものは、このような開示が、特許請求の範囲中に明示的に記載されているか否かにかかわらず、公共に捧げられることを意図し
ていない。ワード「モジュール」、「メカニズム」、「要素」、「デバイス」、および、これらに類するものは、ワード「手段」に置き換えられないかもしれない。このようなことから、要素がフレーズ「のための手段」を使用して明示的に記載されない限り、どの請求項の要素もミーンズプラスファンクションとして解釈すべきではない。
【図１】
2019516286.tif 000015
【図２Ａ】
2019516286.tif 000016
【図２Ｂ】
2019516286.tif 000017
【図２Ｃ】
2019516286.tif 000018
【図２Ｄ】
2019516286.tif 000019
【図３】
2019516286.tif 000020
【図４】
2019516286.tif 000021
【図５】
2019516286.tif 000022
【図６】
2019516286.tif 000023
【図７Ａ】
2019516286.tif 000024
【図７Ｂ】
2019516286.tif 000025
【図８】
2019516286.tif 000026
【図９】
2019516286.tif 000027
【図１０Ａ】
2019516286.tif 000028
【図１０Ｂ】
2019516286.tif 000029
【図１１Ａ】
2019516286.tif 000030
【図１１Ｂ】
2019516286.tif 000031
【図１２】
2019516286.tif 000032
【図１３】
2019516286.tif 000033
【図１４】
2019516286.tif 000034
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
狭帯域通信においてチャネル状態情報（ＣＳＩ）測定を実行する際に使用するために、ＣＳＩ基準サブフレームの数に関係付けられている情報を受信することと、
少なくとも２つの周波数チャネル上のサブフレームを監視し、前記少なくとも２つの周波数チャネルのそれぞれは、物理ダウンリンク制御チャネル（ＰＤＣＣＨ）を含むことと、
前記ＣＳＩ基準サブフレームの数に関係付けられている情報に基づいて、前記少なくとも２つの周波数チャネルに渡るＣＳＩ測定を実行することとを含み、
前記少なくとも２つの周波数チャネルに渡るＣＳＩ測定を実行することは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとを含み、
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数に基づいている方法。
【請求項２】
各ＣＳＩ基準サブフレームは、ダウンリンクサブフレームまたは特殊サブフレームである請求項１記載の方法。
【請求項３】
周期的ＣＳＩレポーティングまたは非周期的ＣＳＩレポーティングに対して、前記ＣＳＩ基準サブフレームの数は、４より大きいまたは４と等しい請求項１記載の方法。
【請求項４】
前記ＣＳＩ基準サブフレームの第１のセット中の基準サブフレームの数は、前記ＣＳＩ基準サブフレームの第２のセット中の基準サブフレームの数と等しい請求項１記載の方法。
【請求項５】
前記ＣＳＩ測定に関係付けられている広帯域ＣＳＩレポートを送信することをさらに含む請求項４記載の方法。
【請求項６】
前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数に基づいている請求項１記載の方法。
【請求項７】
前記ＣＳＩ測定に関係付けられている副帯域ＣＳＩレポートを送信することをさらに含む請求項６記載の方法。
【請求項８】
ワイヤレス通信の装置において、
狭帯域通信においてチャネル状態情報（ＣＳＩ）測定を実行する際に使用するために、ＣＳＩ基準サブフレームの数に関係付けられている情報を受信する手段と、
少なくとも２つの周波数チャネル上のサブフレームを監視し、前記少なくとも２つの周波数チャネルのそれぞれは、物理ダウンリンク制御チャネル（ＰＤＣＣＨ）を含む手段と、
前記ＣＳＩ基準サブフレームの数に関係付けられている情報に基づいて、前記少なくとも２つの周波数チャネルに渡るＣＳＩ測定を実行する手段とを具備し、
前記少なくとも２つの周波数チャネルに渡るＣＳＩ測定を実行する手段は、
前記少なくとも２つの周波数チャネルのうちの第１の周波数チャネル上のＣＳＩ基準サブフレームの第１のセットを決定するように、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なるように、
前記ＣＳＩ基準サブフレームの第１のセットと前記ＣＳＩ基準サブフレームの第２のセットとに基づいて、前記少なくとも２つの周波数チャネルに渡るＣＳＩ測定を実行するように構成され、
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数に基づいている装置。
【請求項９】
各ＣＳＩ基準サブフレームは、ダウンリンクサブフレームまたは特殊サブフレームである請求項８記載の装置。
【請求項１０】
周期的ＣＳＩレポーティングまたは非周期的ＣＳＩレポーティングに対して、前記ＣＳＩ基準サブフレームの数は、４より大きいまたは４と等しい請求項８記載の装置。
【請求項１１】
前記ＣＳＩ基準サブフレームの第１のセット中の基準サブフレームの数は、前記ＣＳＩ基準サブフレームの第２のセット中の基準サブフレームの数と等しい請求項８記載の装置。
【請求項１２】
前記ＣＳＩ測定に関係付けられている広帯域ＣＳＩレポートを送信する手段をさらに具備する請求項１１記載の装置。
【請求項１３】
前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数に基づいている請求項８記載の装置。
【請求項１４】
前記ＣＳＩ測定に関係付けられている副帯域ＣＳＩレポートを送信する手段をさらに具備する請求項１３記載の装置。
【請求項１５】
ワイヤレス通信の装置において、
メモリと、
前記メモリに結合されている少なくとも１つのプロセッサとを具備し、
前記少なくとも１つのプロセッサは、
狭帯域通信においてチャネル状態情報（ＣＳＩ）測定を実行する際に使用するために、ＣＳＩ基準サブフレームの数に関係付けられている情報を受信するように、
少なくとも２つの周波数チャネル上のサブフレームを監視し、前記少なくとも２つの周波数チャネルのそれぞれは、物理ダウンリンク制御チャネル（ＰＤＣＣＨ）を含むように、
前記ＣＳＩ基準サブフレームの数に関係付けられている情報に基づいて、前記少なくとも２つの周波数チャネルに渡るＣＳＩ測定を実行するように構成され、
前記少なくとも１つのプロセッサは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成され、
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数に基づいている装置。
【請求項１６】
前記ＣＳＩ基準サブフレームの第１のセット中の基準サブフレームの数は、前記ＣＳＩ基準サブフレームの第２のセット中の基準サブフレームの数と等しい請求項１５記載の装置。
【請求項１７】
前記少なくとも１つのプロセッサは、前記ＣＳＩ測定に関係付けられている広帯域ＣＳＩレポートを送信するようにさらに構成されている請求項１６記載の装置。
【請求項１８】
前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数に基づいている請求項１５記載の装置。
【請求項１９】
前記少なくとも１つのプロセッサは、前記ＣＳＩ測定に関係付けられている副帯域ＣＳＩレポートを送信するように構成されている請求項１８記載の装置。
【請求項２０】
コンピュータ実行可能なコードを記憶している非一時的コンピュータ読取可能媒体において、
前記コードは、
狭帯域通信においてチャネル状態情報（ＣＳＩ）測定を実行する際に使用するために、ＣＳＩ基準サブフレームの数に関係付けられている情報を受信し、
少なくとも２つの周波数チャネル上のサブフレームを監視し、前記少なくとも２つの周波数チャネルのそれぞれは、物理ダウンリンク制御チャネル（ＰＤＣＣＨ）を含み、
前記ＣＳＩ基準サブフレームの数に関係付けられている情報に基づいて、前記少なくとも２つの周波数チャネルに渡るＣＳＩ測定を実行するためのコードを含み、
前記コードは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成され、
前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数に基づいている非一時的コンピュータ読取可能媒体。
【請求項２１】
前記ＣＳＩ基準サブフレームの第１のセット中の基準サブフレームの数は、前記ＣＳＩ基準サブフレームの第２のセット中の基準サブフレームの数と等しい請求項２０記載の非一時的コンピュータ読取可能媒体。
【請求項２２】
前記コードは、前記ＣＳＩ測定に関係付けられている広帯域ＣＳＩレポートを送信するようにさらに構成されている請求項２１記載の非一時的コンピュータ読取可能媒体。
【手続補正２】
【補正対象書類名】明細書
【補正対象項目名】０１０１
【補正方法】変更
【補正の内容】
【０１０１】
［００１１４］
先の説明は、当業者がここで説明したさまざまな態様を実施できるようにするために提供している。これらの態様へのさまざまな修正は、当業者にとって容易に明らかとなり、ここで規定した包括的な原理を他の態様に適用してもよい。したがって、ここで示した態様に限定されることを特許請求の範囲は意図しておらず、しかしながら、特許請求の範囲の文言と一致するすべての範囲が与えられるべきであり、単数形での要素への参照は、特にそのように述べられていない限り「１つおよび１つのみ」を意味するように意図されず、むしろ「１つ以上の」を意味するように意図されている。ワード「例示的な」は、「例、事例、または例示として役割を果たすこと」を意味するようにここで使用される。「例示的」として、ここで説明するいずれの態様も、他の態様と比較して、必ずしも好ましいものとして、または、有利なものとして解釈すべきではない。特にそうではないことが述べられていない限り、用語「いくつかの」は１つ以上を指す。「Ａ、Ｂ、またはＣのうちの少なくとも１つ」、「Ａ、Ｂ、またはＣのうちの１つ以上」、「Ａ、Ｂ、およびＣのうちの少なくとも１つ」、「Ａ、Ｂ、およびＣのうちの１つ以上」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含むことができる。特に、「Ａ、Ｂ、またはＣのうちの少なくとも１つ」、「Ａ、Ｂ、またはＣのうちの１つ以上」、「Ａ、Ｂ、およびＣのうちの少なくとも１つ」、「Ａ、Ｂ、およびＣのうちの１つ以上」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであることができ、ここで、任意のこのような組み合わせは、Ａ、Ｂ、またはＣのうちの１つ以上のメンバーを含むことができる。当業者に知られている、あるいは後に知られることになる本開示全体に渡って説明されているさまざまな態様の要素に対するすべての構造的および機能的な均等物は、参照によってここに明確に組み込まれ、特許請求の範囲によって包含されるように意図されている。さらに、ここで開示したものは、このような開示が、特許請求の範囲中に明示的に記載されているか否かにかかわらず、公共に捧げられることを意図していない。ワード「モジュール」、「メカニズム」、「要素」、「デバイス」、および、これらに類するものは、ワード「手段」に置き換えられないかもしれない。このようなことから、要素がフレーズ「のための手段」を使用して明示的に記載されない限り、どの請求項の要素もミーンズプラスファンクションとして解釈すべきではない。
以下に、本願出願の当初の特許請求の範囲に記載された発明を付記する。
［１］  ワイヤレス通信の方法において、
狭帯域通信においてチャネル状態情報（ＣＳＩ）測定を実行する際に使用するために、ＣＳＩ基準サブフレームの数に関係付けられている情報を受信することと、
少なくとも２つの周波数チャネル上のサブフレームを監視し、前記少なくとも２つの周波数チャネルのそれぞれは、物理ダウンリンク制御チャネル（ＰＤＣＣＨ）を含むことと、
前記ＣＳＩ基準サブフレームの数に関係付けられている情報に基づいて、前記少なくとも２つの周波数チャネルに渡るＣＳＩ測定を実行することとを含む方法。
［２］  各ＣＳＩ基準サブフレームは、ダウンリンクサブフレームまたは特殊サブフレームである［１］記載の方法。
［３］  周期的ＣＳＩレポーティングまたは非周期的ＣＳＩレポーティングに対して、前記ＣＳＩ基準サブフレームの数は、４より大きいまたは４と等しい［１］記載の方法。
［４］  前記少なくとも２つの周波数チャネルに渡るＣＳＩ測定を実行することは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとを含む［１］記載の方法。
［５］  前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい［４］記載の方法。
［６］  前記ＣＳＩ基準サブフレームの第１のセット中の基準サブフレームの数は、前記ＣＳＩ基準サブフレームの第２のセット中の基準サブフレームの数と等しい［５］記載の方法。
［７］  前記ＣＳＩ測定に関係付けられている広帯域ＣＳＩレポートを送信することをさらに含む［６］記載の方法。
［８］  前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数と等しい［４］記載の方法。
［９］  前記ＣＳＩ測定に関係付けられている副帯域ＣＳＩレポートを送信することをさらに含む［８］記載の方法。
［１０］  ワイヤレス通信の装置において、
狭帯域通信においてチャネル状態情報（ＣＳＩ）測定を実行する際に使用するために、ＣＳＩ基準サブフレームの数に関係付けられている情報を受信する手段と、
少なくとも２つの周波数チャネル上のサブフレームを監視し、前記少なくとも２つの周波数チャネルのそれぞれは、物理ダウンリンク制御チャネル（ＰＤＣＣＨ）を含む手段と、
前記ＣＳＩ基準サブフレームの数に関係付けられている情報に基づいて、前記少なくとも２つの周波数チャネルに渡るＣＳＩ測定を実行する手段とを具備する装置。
［１１］  各ＣＳＩ基準サブフレームは、ダウンリンクサブフレームまたは特殊サブフレームである［１０］記載の装置。
［１２］  周期的ＣＳＩレポーティングまたは非周期的ＣＳＩレポーティングに対して、前記ＣＳＩ基準サブフレームの数は、４より大きいまたは４と等しい［１０］記載の装置。
［１３］  前記少なくとも２つの周波数チャネルに渡るＣＳＩ測定を実行する手段は、
前記少なくとも２つの周波数チャネルのうちの第１の周波数チャネル上のＣＳＩ基準サブフレームの第１のセットを決定するように、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なるように、
前記ＣＳＩ基準サブフレームの第１のセットと前記ＣＳＩ基準サブフレームの第２のセットとに基づいて、前記少なくとも２つの周波数チャネルに渡るＣＳＩ測定を実行するように構成されている［１０］記載の装置。
［１４］  前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい［１３］記載の装置。
［１５］  前記ＣＳＩ基準サブフレームの第１のセット中の基準サブフレームの数は、前記ＣＳＩ基準サブフレームの第２のセット中の基準サブフレームの数と等しい［１４］記載の装置。
［１６］  前記ＣＳＩ測定に関係付けられている広帯域ＣＳＩレポートを送信する手段をさらに具備する［１５］記載の装置。
［１７］  前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数と等しい［１３］記載の装置。
［１８］  前記ＣＳＩ測定に関係付けられている副帯域ＣＳＩレポートを送信する手段をさらに具備する［１７］記載の装置。
［１９］  ワイヤレス通信の装置において、
メモリと、
前記メモリに結合されている少なくとも１つのプロセッサとを具備し、
前記少なくとも１つのプロセッサは、
狭帯域通信においてチャネル状態情報（ＣＳＩ）測定を実行する際に使用するために、ＣＳＩ基準サブフレームの数に関係付けられている情報を受信するように、
少なくとも２つの周波数チャネル上のサブフレームを監視し、前記少なくとも２つの周波数チャネルのそれぞれは、物理ダウンリンク制御チャネル（ＰＤＣＣＨ）を含むように、
前記ＣＳＩ基準サブフレームの数に関係付けられている情報に基づいて、前記少なくとも２つの周波数チャネルに渡るＣＳＩ測定を実行するように構成されている装置。
［２０］  前記少なくとも１つのプロセッサは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成されている［１９］記載の装置。
［２１］  前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい［２０］記載の装置。
［２２］  前記ＣＳＩ基準サブフレームの第１のセット中の基準サブフレームの数は、前記ＣＳＩ基準サブフレームの第２のセット中の基準サブフレームの数と等しい［２１］記載の装置。
［２３］  前記少なくとも１つのプロセッサは、前記ＣＳＩ測定に関係付けられている広帯域ＣＳＩレポートを送信するようにさらに構成されている［２２］記載の装置。
［２４］  前記ＣＳＩ基準サブフレームの第１のセットと前記ＣＳＩ基準サブフレームの第２のセットは、Ｎ個の基準サブフレームを含み、Ｎは、前記ＣＳＩ基準サブフレームの数と等しい［２０］記載の装置。
［２５］  前記少なくとも１つのプロセッサは、前記ＣＳＩ測定に関係付けられている副帯域ＣＳＩレポートを送信するように構成されている［２４］記載の装置。
［２６］  コンピュータ実行可能なコードを記憶しているコンピュータ読取可能媒体において、
前記コードは、
狭帯域通信においてチャネル状態情報（ＣＳＩ）測定を実行する際に使用するために、ＣＳＩ基準サブフレームの数に関係付けられている情報を受信し、
少なくとも２つの周波数チャネル上のサブフレームを監視し、前記少なくとも２つの周波数チャネルのそれぞれは、物理ダウンリンク制御チャネル（ＰＤＣＣＨ）を含み、
前記ＣＳＩ基準サブフレームの数に関係付けられている情報に基づいて、前記少なくとも２つの周波数チャネルに渡るＣＳＩ測定を実行するためのコードを含むコンピュータ読取可能媒体。
［２７］  前記コードは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成されている［２６］記載のコンピュータ読取可能媒体。
［２８］  前記ＣＳＩ基準サブフレームの第１のセットは、Ｍ個の基準サブフレームを含み、Ｍは、前記少なくとも２つの周波数チャネルの数で割った前記ＣＳＩ基準サブフレームの数と等しい［２７］記載のコンピュータ読取可能媒体。
［２９］  前記ＣＳＩ基準サブフレームの第１のセット中の基準サブフレームの数は、前記ＣＳＩ基準サブフレームの第２のセット中の基準サブフレームの数と等しい［２８］記載のコンピュータ読取可能媒体。
［３０］  前記コードは、前記ＣＳＩ測定に関係付けられている広帯域ＣＳＩレポートを送信するようにさらに構成されている［２９］記載のコンピュータ読取可能媒体。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
狭帯域通信においてチャネル状態情報（ＣＳＩ）測定を実行する際に使用するために、ＣＳＩ基準サブフレームの数に関係付けられている情報を受信することと、
少なくとも２つの周波数チャネル上のサブフレームを監視し、前記少なくとも２つの周波数チャネルのそれぞれは、物理ダウンリンク制御チャネル（ＰＤＣＣＨ）を含むことと、
前記ＣＳＩ基準サブフレームの数に関係付けられている情報に基づいて、前記少なくとも２つの周波数チャネルに渡るＣＳＩ測定を実行することとを含み、
前記少なくとも２つの周波数チャネルに渡るＣＳＩ測定を実行することは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとを含み、
前記ＣＳＩ基準サブフレームの第１のセットは、Ｍ個の前記ＣＳＩ基準サブフレームを含み、Ｍは、前記少なくとも２つの周波数チャネルの数で割った前記ＣＳＩ基準サブフレームの数に基づいている方法。
【請求項２】
各ＣＳＩ基準サブフレームは、ダウンリンクサブフレームまたは特殊サブフレームである請求項１記載の方法。
【請求項３】
周期的ＣＳＩレポーティングまたは非周期的ＣＳＩレポーティングに対して、前記ＣＳＩ基準サブフレームの数は、４より大きいまたは４と等しい請求項１記載の方法。
【請求項４】
前記ＣＳＩ基準サブフレームの第１のセット中の前記ＣＳＩ基準サブフレームの数は、前記ＣＳＩ基準サブフレームの第２のセット中の前記ＣＳＩ基準サブフレームの数と等しい請求項１記載の方法。
【請求項５】
前記ＣＳＩ測定に関係付けられている広帯域ＣＳＩレポートを送信することをさらに含む請求項４記載の方法。
【請求項６】
前記ＣＳＩ基準サブフレームの第１のセットと前記ＣＳＩ基準サブフレームの第２のセットは、Ｎ個の前記ＣＳＩ基準サブフレームを含み、Ｎは、前記ＣＳＩ基準サブフレームの数に基づいている請求項１記載の方法。
【請求項７】
前記ＣＳＩ測定に関係付けられている副帯域ＣＳＩレポートを送信することをさらに含む請求項６記載の方法。
【請求項８】
ワイヤレス通信の装置において、
狭帯域通信においてチャネル状態情報（ＣＳＩ）測定を実行する際に使用するために、ＣＳＩ基準サブフレームの数に関係付けられている情報を受信する手段と、
少なくとも２つの周波数チャネル上のサブフレームを監視し、前記少なくとも２つの周波数チャネルのそれぞれは、物理ダウンリンク制御チャネル（ＰＤＣＣＨ）を含む手段と、
前記ＣＳＩ基準サブフレームの数に関係付けられている情報に基づいて、前記少なくとも２つの周波数チャネルに渡るＣＳＩ測定を実行する手段とを具備し、
前記少なくとも２つの周波数チャネルに渡るＣＳＩ測定を実行する手段は、
前記少なくとも２つの周波数チャネルのうちの第１の周波数チャネル上のＣＳＩ基準サブフレームの第１のセットを決定するように、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なるように、
前記ＣＳＩ基準サブフレームの第１のセットと前記ＣＳＩ基準サブフレームの第２のセットとに基づいて、前記少なくとも２つの周波数チャネルに渡るＣＳＩ測定を実行するように構成され、
前記ＣＳＩ基準サブフレームの第１のセットは、Ｍ個の前記ＣＳＩ基準サブフレームを含み、Ｍは、前記少なくとも２つの周波数チャネルの数で割った前記ＣＳＩ基準サブフレームの数に基づいている装置。
【請求項９】
各ＣＳＩ基準サブフレームは、ダウンリンクサブフレームまたは特殊サブフレームである請求項８記載の装置。
【請求項１０】
周期的ＣＳＩレポーティングまたは非周期的ＣＳＩレポーティングに対して、前記ＣＳＩ基準サブフレームの数は、４より大きいまたは４と等しい請求項８記載の装置。
【請求項１１】
前記ＣＳＩ基準サブフレームの第１のセット中の前記ＣＳＩ基準サブフレームの数は、前記ＣＳＩ基準サブフレームの第２のセット中の前記ＣＳＩ基準サブフレームの数と等しい請求項８記載の装置。
【請求項１２】
前記ＣＳＩ測定に関係付けられている広帯域ＣＳＩレポートを送信する手段をさらに具備する請求項１１記載の装置。
【請求項１３】
前記ＣＳＩ基準サブフレームの第１のセットと前記ＣＳＩ基準サブフレームの第２のセットは、Ｎ個の前記ＣＳＩ基準サブフレームを含み、Ｎは、前記ＣＳＩ基準サブフレームの数に基づいている請求項８記載の装置。
【請求項１４】
前記ＣＳＩ測定に関係付けられている副帯域ＣＳＩレポートを送信する手段をさらに具備する請求項１３記載の装置。
【請求項１５】
ワイヤレス通信の装置において、
メモリと、
前記メモリに結合されている少なくとも１つのプロセッサとを具備し、
前記少なくとも１つのプロセッサは、
狭帯域通信においてチャネル状態情報（ＣＳＩ）測定を実行する際に使用するために、ＣＳＩ基準サブフレームの数に関係付けられている情報を受信するように、
少なくとも２つの周波数チャネル上のサブフレームを監視し、前記少なくとも２つの周波数チャネルのそれぞれは、物理ダウンリンク制御チャネル（ＰＤＣＣＨ）を含むように、
前記ＣＳＩ基準サブフレームの数に関係付けられている情報に基づいて、前記少なくとも２つの周波数チャネルに渡るＣＳＩ測定を実行するように構成され、
前記少なくとも１つのプロセッサは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成され、
前記ＣＳＩ基準サブフレームの第１のセットは、Ｍ個の前記ＣＳＩ基準サブフレームを含み、Ｍは、前記少なくとも２つの周波数チャネルの数で割った前記ＣＳＩ基準サブフレームの数に基づいている装置。
【請求項１６】
前記ＣＳＩ基準サブフレームの第１のセット中の前記ＣＳＩ基準サブフレームの数は、前記ＣＳＩ基準サブフレームの第２のセット中の前記ＣＳＩ基準サブフレームの数と等しい請求項１５記載の装置。
【請求項１７】
前記少なくとも１つのプロセッサは、前記ＣＳＩ測定に関係付けられている広帯域ＣＳＩレポートを送信するようにさらに構成されている請求項１６記載の装置。
【請求項１８】
前記ＣＳＩ基準サブフレームの第１のセットと前記ＣＳＩ基準サブフレームの第２のセットは、Ｎ個の前記ＣＳＩ基準サブフレームを含み、Ｎは、前記ＣＳＩ基準サブフレームの数に基づいている請求項１５記載の装置。
【請求項１９】
前記少なくとも１つのプロセッサは、前記ＣＳＩ測定に関係付けられている副帯域ＣＳＩレポートを送信するように構成されている請求項１８記載の装置。
【請求項２０】
コンピュータ実行可能なコードを記憶している非一時的コンピュータ読取可能媒体において、
前記コードは、
狭帯域通信においてチャネル状態情報（ＣＳＩ）測定を実行する際に使用するために、ＣＳＩ基準サブフレームの数に関係付けられている情報を受信し、
少なくとも２つの周波数チャネル上のサブフレームを監視し、前記少なくとも２つの周波数チャネルのそれぞれは、物理ダウンリンク制御チャネル（ＰＤＣＣＨ）を含み、
前記ＣＳＩ基準サブフレームの数に関係付けられている情報に基づいて、前記少なくとも２つの周波数チャネルに渡るＣＳＩ測定を実行するためのコードを含み、
前記コードは、
前記少なくとも２つの周波数チャネルのうちの第１の周波数チャネル上のＣＳＩ基準サブフレームの第１のセットを決定することと、
前記少なくとも２つの周波数チャネルのうちの第２の周波数チャネル上のＣＳＩ基準サブフレームの第２のセットを決定し、前記第１の周波数チャネルは、前記第２の周波数チャネルとは異なることと、
前記ＣＳＩ基準サブフレームの第１のセットと前記ＣＳＩ基準サブフレームの第２のセットとに基づいて、前記少なくとも２つの周波数チャネルに渡るＣＳＩ測定を実行することとによって、
前記少なくとも２つの周波数チャネルに渡るＣＳＩ測定を実行するように構成され、
前記ＣＳＩ基準サブフレームの第１のセットは、Ｍ個の前記ＣＳＩ基準サブフレームを含み、Ｍは、前記少なくとも２つの周波数チャネルの数で割った前記ＣＳＩ基準サブフレームの数に基づいている非一時的コンピュータ読取可能媒体。
【請求項２１】
前記ＣＳＩ基準サブフレームの第１のセット中の前記ＣＳＩ基準サブフレームの数は、前記ＣＳＩ基準サブフレームの第２のセット中の前記ＣＳＩ基準サブフレームの数と等しい請求項２０記載の非一時的コンピュータ読取可能媒体。
【請求項２２】
前記コードは、前記ＣＳＩ測定に関係付けられている広帯域ＣＳＩレポートを送信するようにさらに構成されている請求項２１記載の非一時的コンピュータ読取可能媒体。
【国際調査報告】
2019516286.tif 000035
2019516286.tif 000036
2019516286.tif 000037
2019516286.tif 000038